(57)【要約】【課題】ユーザの要望に沿った優先順位で、場所を推薦するためのコンテンツ情報を提供することができる場所推薦装置を提供する。【解決手段】場所推薦装置は、場所に関連する情報であるコンテンツ情報を収集して保持しておき、コンテンツ情報の取得要求に応じて、その保持しているコンテンツ情報を提供する。コンテンツ情報に対するユーザの操作に関する情報を収集して、コンテンツ情報毎の第１のスコアを算出する。コンテンツ毎に、当該コンテンツ情報により推薦される場所が含まれる所定の地域範囲の第１のスコアの最大値に、当該コンテンツ情報の取得時間及び時間的な期限情報と、前記コンテンツ情報の提供時点とに基づいて設定された重み付け係数を乗算して第２のスコアを算出する。第１のスコアと第２のスコアとの合計からなる第３のスコアに基づいた優先順位で、コンテンツ情報をユーザに提示する。【選択図】図１
2015022532.tif 000002
【特許請求の範囲】
【請求項１】
場所に関連する情報であるコンテンツ情報を提供することで、前記場所を推薦する場所推薦装置であって、
前記コンテンツ情報を、収集して保持するコンテンツ情報収集保持手段と、
前記保持したコンテンツ情報を、コンテンツ情報の取得要求に応じて提供する提供手段と、
前記提供手段により提供されたコンテンツ情報に対するユーザの操作に関する情報を収集して、前記コンテンツ情報毎の第１のスコアを算出する第１のスコア算出手段と、
前記第１のスコア算出手段で算出された前記コンテンツ毎の第１のスコアを、前記コンテンツ情報により推薦される場所を含む所定の地域範囲毎に集計し、前記所定の地域範囲毎における前記第１のスコアの最大値を検出する手段と、
前記コンテンツ毎に、当該コンテンツ情報により推薦される場所が含まれる前記所定の地域範囲の前記第１のスコアの最大値に、当該コンテンツ情報の取得時間及び時間的な期限情報と、前記コンテンツ情報の提供時点とに基づいて設定された重み付け係数を乗算して第２のスコアを算出する第２のスコア算出手段と、
を備え、
前記提供手段は、前記コンテンツ情報を、前記所定の地域範囲毎に、前記第１のスコアと前記第２のスコアとに基づいた優先順位でユーザに提示することができるように提供する
ことを特徴とする場所推薦装置。
【請求項２】
前記コンテンツ情報の取得要求には位置情報を含み、
前記取得要求に含まれる前記位置情報に対応する位置を含む前記所定の地域範囲のコンテンツ情報を、前記取得要求に対して提供する
ことを特徴とする請求項１に記載の場所推薦装置。
【請求項３】
通信ネットワークに接続され、前記通信ネットワークを通じて接続される通信端末装置からの前記コンテンツ情報の取得要求に応じて、前記コンテンツ情報を提供する
ことを特徴とする請求項１または請求項２に記載の場所推薦装置。
【請求項４】
前記提供されたコンテンツ情報に対するユーザの操作は、前記コンテンツ情報の詳細情報を参照するための参照操作と、前記コンテンツ情報をお気に入り登録するための登録操作を含み、前記第１のスコアは、前記コンテンツ情報のそれぞれに対する前記参照操作の回数及び前記登録操作の回数のそれぞれと、前記参照操作及び前記登録操作のそれぞれに応じた重み付け係数とを乗算した結果の合計とされてなる
ことを特徴とする請求項１〜請求項３のいずれかに記載の場所推薦装置。
【請求項５】
前記所定の地域範囲毎の前記コンテンツ情報は、それぞれのコンテンツ情報の紹介画像が、表示画面に、前記第１のスコアと前記第２のスコアとに基づいた優先順位で並べられて表示されることで、ユーザに提供される
ことを特徴とする請求項１〜請求項４のいずれかに記載の場所推薦装置。
【請求項６】
前記コンテンツ情報の取得時間及び時間的な期限情報と前記コンテンツ情報の提供時点とに基づいて時間についての状態フラグが設定され、前記状態フラグに応じた付加表示が、前記コンテンツ情報の紹介画像に付加されている
ことを特徴とする請求項５に記載の場所推薦装置。
【請求項７】
前記コンテンツ情報の取得要求には位置情報を含み、
前記提供される情報には、前記取得要求に含まれる前記位置情報に対応する位置を含む前記所定の地域範囲のコンテンツ情報で推薦される場所の位置情報と、前記取得要求に含まれる前記位置情報を中心とした所定の範囲の地図情報とを含み、
前記表示画面には、前記地図情報に基づく地図画像に、前記第１のスコアと前記第２のスコアとに基づいて選択された複数個のコンテンツ情報で推薦される場所のそれぞれが、所定のマークにより表示される
ことを特徴とする請求項１〜請求項６のいずれかに記載の場所推薦装置。
【請求項８】
前記所定の地域範囲の単位は、都道府県の単位である
ことを特徴とする請求項１〜請求項７のいずれかに記載の場所推薦装置。
【請求項９】
場所に関連する情報であるコンテンツ情報を提供することで、前記場所を推薦する場所推薦装置が実行する場所推薦方法であって、
前記コンテンツ情報を、収集して保持するコンテンツ情報収集保持工程と、
前記保持したコンテンツ情報を、コンテンツ情報の取得要求に応じて提供する提供工程と、
前記提供工程により提供されたコンテンツ情報に対するユーザの操作に関する情報を収集して、前記コンテンツ情報毎の第１のスコアを算出する第１のスコア算出工程と、
前記第１のスコア算出工程で算出された前記コンテンツ毎の第１のスコアを、前記コンテンツ情報により推薦される場所を含む所定の地域範囲毎に集計し、前記所定の地域範囲毎における前記第１のスコアの最大値を検出する工程と、
前記コンテンツ毎に、当該コンテンツ情報により推薦される場所が含まれる前記所定の地域範囲の前記第１のスコアの最大値に、当該コンテンツ情報の取得時間及び時間的な期限情報と、前記コンテンツ情報の提供時点とに基づいて設定された重み付け係数を乗算して第２のスコアを算出する第２のスコア算出工程と、
を備え、
前記提供工程では、前記コンテンツ情報を、前記所定の地域範囲毎に、前記第１のスコアと前記第２のスコアとに基づいた優先順位でユーザに提示することができるように提供する
ことを特徴とする場所推薦方法。
【請求項１０】
場所に関連する情報であるコンテンツ情報を提供することで、前記場所を推薦する場所推薦装置が備えるコンピュータに、
コンテンツ情報収集保持手段が、前記コンテンツ情報を、収集して保持するコンテンツ情報収集保持ステップ、
提供手段が、前記保持したコンテンツ情報を、コンテンツ情報の取得要求に応じて提供する提供ステップ、
第１のスコア算出手段が、前記提供工程で提供されたコンテンツ情報に対するユーザの操作に関する情報を収集して、前記コンテンツ情報毎の第１のスコアを算出する第１のスコア算出ステップ、
検出手段が、前記第１のスコア算出工程で算出された前記コンテンツ毎の第１のスコアを、前記コンテンツ情報により推薦される場所を含む所定の地域範囲毎に集計し、前記所定の地域範囲毎における前記第１のスコアの最大値を検出するステップ、
第２のスコア算出手段が、前記コンテンツ毎に、当該コンテンツ情報により推薦される場所が含まれる前記所定の地域範囲の前記第１のスコアの最大値に、当該コンテンツ情報の取得時間及び時間的な期限情報と、前記コンテンツ情報の提供時点とに基づいて設定された重み付け係数を乗算して第２のスコアを算出する第２のスコア算出ステップ、
を実行させるためのプログラムであって、
前記提供ステップでは、前記コンテンツ情報を、前記所定の地域範囲毎に、前記第１のスコアと前記第２のスコアとに基づいた優先順位でユーザに提示することができるように提供する
ことを特徴とする場所推薦プログラム。
【発明の詳細な説明】
【技術分野】
【０００１】
この発明は、ネットワークを通じて接続される通信端末装置に、場所に関連する情報であるコンテンツ情報を提供する場所推薦装置及び場所推薦方法に関する。
【背景技術】
【０００２】
スマートホンと呼ばれる高機能携帯電話端末や、インターネットを通じた通信が可能なパーソナルコンピュータにおいては、インターネットを通じて、種々のＷｅｂサイトから、種々のサービスの提供を受けることができるようになっている。このようなＷｅｂサイトから提供されるサービスの一つとして、ユーザの現在位置やユーザが指定した位置を中心とした所定の地域範囲における、店舗や場所を推薦するサービスが、従来から提案されている（例えば、特許文献１（特開２０１０−９３１５号公報）、特許文献２（特開２０１１−２１５７００号公報）等参照）。
【０００３】
上述のような場所推薦サービスにおいては、それぞれの場所で開催されるイベントを紹介する情報やそれぞれの場所の由来や歴史などを紹介する情報を、ユーザに提供することで、ユーザに場所を推薦するようにしている。なお、この明細書では、このような、それぞれの場所で開催されるイベントや由来、歴史などを紹介する紹介情報、その場所の地図情報などの場所に関連する情報をコンテンツ情報と呼ぶことにする。紹介情報には、テキスト情報のほかに、写真やその他の画像情報を含むものである。
【０００４】
一般に、場所推薦サービスを行うＷｅｂサイトのサーバは、場所を推薦する団体や事業者が作成するコンテンツ情報を、予め、例えばインターネットを介して収集し、格納しておく。そして、ユーザがスマートホンやパソコンなどの通信端末装置から、Ｗｅｂサイトにアクセスし、場所を推薦するコンテンツ情報の取得要求をすると、格納しているコンテンツ情報を読み出して、スマートホンやパソコンに送信する。
【０００５】
スマートホンやパソコンでは、Ｗｅｂサイトのサーバから送られてくるコンテンツ情報を、表示画面に一覧表示するなどして、ユーザに提供する。
【先行技術文献】
【特許文献】
【０００６】
【特許文献１】特開２０１０−９３１５号公報
【特許文献１】特開２０１１−２１５７００号公報
【発明の概要】
【発明が解決しようとする課題】
【０００７】
ところで、Ｗｅｂサイトのサーバは、場所を推薦するためのコンテンツ情報を、例えば日本各地の多数の場所について収集して多数個格納している。そして、サーバは、その多数個のコンテンツ情報の中から、所定の条件、例えば、ユーザの現在位置周辺や、ユーザが指定した位置周辺の複数個の場所のコンテンツ情報を選択して、あるいは、ユーザが指定したジャンルに合致する複数個の場所のコンテンツ情報を選択して、ユーザに提供する。
【０００８】
この場合に、コンテンツ情報は、通信端末装置の例としての高機能携帯電話端末やパーソナルコンピュータの表示画面に表示されることでユーザに提示されるが、一般に、提示順序が上位のものほど、ユーザが参照する機会が増加する傾向になる。したがって、ユーザに提供されたコンテンツ情報の、ユーザに対して提示される優先順位が重要である。
【０００９】
そして、場所を推薦するコンテンツ情報の場合には、ユーザにとっては、人気の高い場所のコンテンツ情報や、新たに提供された場所のコンテンツ情報、イベントの開催日時が迫っている、あるいは終了日時が迫っている場所のコンテンツ情報は、高い優先順位で提供してもらいたいという要望がある。
【００１０】
このため、単に、イベントの開催日時順や、コンテンツ情報の検索回数の多いもの順というように、コンテンツ情報の提示順序の優先順位を定めても、ユーザの要望に沿った優先順位とならない恐れがある。
【００１１】
この発明は、上記の点にかんがみ、上述のようなユーザの要望に沿った優先順位で、場所を推薦するためのコンテンツ情報を提供することができる場所推薦装置及び方法を提供することを目的とする。
【課題を解決するための手段】
【００１２】
上記の課題を解決するために、この発明は、場所に関連する情報であるコンテンツ情報を提供することで、前記場所を推薦する場所推薦装置であって、前記コンテンツ情報を、収集して保持するコンテンツ情報収集保持手段と、前記保持したコンテンツ情報を、コンテンツ情報の取得要求に応じて提供する提供手段と、前記提供手段により提供されたコンテンツ情報に対するユーザの操作に関する情報を収集して、前記コンテンツ情報毎の第１のスコアを算出する第１のスコア算出手段と、前記第１のスコア算出手段で算出された前記コンテンツ毎の第１のスコアを、前記コンテンツ情報により推薦される場所を含む所定の地域範囲毎に集計し、前記所定の地域範囲毎における前記第１のスコアの最大値を検出する手段と、前記コンテンツ毎に、当該コンテンツ情報により推薦される場所が含まれる前記所定の地域範囲の前記第１のスコアの最大値に、当該コンテンツ情報の取得時間及び時間的な期限情報と、前記コンテンツ情報の提供時点とに基づいて設定された重み付け係数を乗算して第２のスコアを算出する第２のスコア算出手段と、を備え、前記提供手段は、前記コンテンツ情報を、前記所定の地域範囲毎に、前記第３のスコアに基づいた優先順位でユーザに提示することができるように提供する。
【００１３】
上述の構成のこの発明の場所推薦装置の第１のスコア算出手段は、コンテンツ情報に対するユーザによる参照操作の回数（参照履歴件数）や、お気に入り登録操作に基づくお気に入り登録件数などのコンテンツ情報に対するユーザの働き掛け操作に関する情報に基づいて、第１のスコアを算出する。この第１のスコアは、コンテンツ情報により紹介される場所の人気度や注目度を反映しているものとなる。
【００１４】
また、この発明の場所推薦装置においては、コンテンツ情報毎の第１のスコアを所定の地域範囲毎に集計して、所定の地域範囲毎における第１のスコアの最大値を検出しておく。そして、この発明の場所推薦装置の第２のスコア算出手段は、コンテンツ情報毎に、そのコンテンツ情報により推薦される場所が含まれる所定の地域範囲の第１のスコアの最大値に、そのコンテンツ情報の取得時間及び時間的な期限情報と、当該コンテンツの提供時点とに基づいて設定された重み付け係数を乗算して第２のスコアを算出する。
【００１５】
この第２のスコアは、新たにサーバ装置に提供された場所のコンテンツ情報、イベントの開催日時が迫っている、あるいは終了日時が迫っている場所のコンテンツ情報など、時間的な要因に基づいた、ユーザに提示する優先度の情報となっている。すなわち、サーバ装置に新たに提供された場所のコンテンツ情報、イベントの開催日時が迫っている、あるいは終了日時が迫っている場所のコンテンツ情報は、高い優先順位で提供してもらいたいというユーザの要望に対応する優先度となる。
【００１６】
この場合に、この発明では、時間的な優先度を反映した第２のスコアは、人気度や注目度を反映した第１のスコアの最大値に、コンテンツ情報の取得時間及び時間的な期限情報と、前記コンテンツ情報の提供時点とに基づいて設定された重み付け係数を乗算して算出する。すなわち、第２のスコアは、重み付け係数により、人気度や注目度を反映した第１のスコアに換算した値として算出する。そして、この発明の場所推薦装置は、第１のスコアと第２のスコアとに基づいて、ユーザへのコンテンツ情報の提示の優先順位を定める。
【００１７】
したがって、この発明によれば、人気度や注目度に基づくコンテンツ情報のユーザへの提示の優先度（第１のスコア）と、時間的な要因によるコンテンツ情報のユーザへの提示の優先度（第２のスコア）とを勘案して、コンテンツ情報のユーザへの提示の優先順位を定めることができる。これにより、この発明によれば、コンテンツ情報を、人気度や注目度と時間的な要因とを加味した優先順位でユーザに提示することができるので、ユーザの要望に沿った優先順位で、場所を推薦するためのコンテンツ情報を提供することができる。
【００１８】
そして、この発明においては、第２のスコアは、第１のスコアの最大値に、所定の重み付けをすることで人気度や注目度を反映した第１のスコアに換算するようにして算出するが、当該第２のスコアを、第１のスコアの最大値から算出する際の重み付け係数を適宜に選定することにより、第１のスコアと第２のスコアとの重みの割合を変えることができる。すなわち、優先順位を決定する場合における第１のスコアと第２のスコアとの重みを同程度とすることができると共に、いずれか一方の重みを、他方よりも重くすることもできる。すなわち、第２のスコアを算出する際の重み付け係数を適宜に選定することにより、優先順位を決定する場合における第１のスコアと第２のスコアの重みを同等にしたり、いずれかの寄与度をより大きくしたりすることができる。
【００１９】
さらに、この発明によれば、コンテンツ情報毎の時間的な要因についての第２のスコアを算出する際の基準となる第１のスコアの最大値は、例えば日本全域のようなコンテンツ情報により推薦される場所の提供地域範囲の全範囲ではなく、その全範囲を分割した、ユーザに一纏めとして提供する所定の地域範囲であって、第２のスコアを算出する対象のコンテンツ情報で推薦される場所が含まれる所定の地域範囲の第１のスコアの最大値としている。このため、所定の地域範囲単位で生じる第１のスコアの最大値の違いを考慮した第２のスコア値を算出することができ、優先順位を定めるためのスコア値としては、より適正なものとすることができる。
【発明の効果】
【００２０】
この発明による場所推薦装置によれば、ユーザの要望に沿った優先順位で、場所を推薦するためのコンテンツ情報を提供することができる。
【図面の簡単な説明】
【００２１】
【図１】この発明による場所推薦装置の実施形態を含む通信システムを説明するためのブロック図である。
【図２】この発明による場所推薦装置の実施形態の説明のための図である。
【図３】この発明による場所推薦装置の実施形態における場所推薦サービスの概要を説明するための図である。
【図４】この発明による場所推薦装置の実施形態における場所推薦サービスの概要を説明するための図である。
【図５】この発明による場所推薦装置の実施形態による場所推薦サービスを受ける通信端末装置の例としての携帯電話端末における処理動作の例を説明するためのフローチャートの一部を示す図である。
【図６】この発明による場所推薦装置の実施形態による場所推薦サービスを受ける通信端末装置の例としての携帯電話端末における処理動作の例を説明するためのフローチャートの一部を示す図である。
【図７】この発明による場所推薦装置の実施形態による場所推薦サービスを受ける通信端末装置の例としての携帯電話端末における処理動作の例を説明するためのフローチャートの一部を示す図である。
【図８】この発明による場所推薦装置の実施形態による場所推薦サービスを受ける通信端末装置の例としての携帯電話端末における処理動作の例を説明するためのフローチャートの一部を示す図である。
【図９】この発明による場所推薦装置の実施形態による場所推薦サービスを受ける通信端末装置の例としての携帯電話端末における処理動作の例を説明するためのフローチャートの一部を示す図である。
【図１０】この発明による場所推薦装置の実施形態の、場所推薦サービスにおける処理動作の例を説明するためのフローチャートの一部を示す図である。
【図１１】この発明による場所推薦装置の実施形態の、場所推薦サービスにおける処理動作の例を説明するためのフローチャートの一部を示す図である。
【図１２】この発明による場所推薦装置の実施形態の、場所推薦サービスにおける処理動作の例を説明するためのフローチャートの一部を示す図である。
【図１３】この発明による場所推薦装置の実施形態の、場所推薦サービスにおける処理動作の例を説明するためのフローチャートの一部を示す図である。
【図１４】この発明による場所推薦装置の実施形態の、場所推薦サービスにおける処理動作の例を説明するためのフローチャートの一部を示す図である。
【図１５】この発明による場所推薦装置の実施形態の、場所推薦サービスにおける処理動作の例を説明するためのフローチャートの一部を示す図である。
【図１６】この発明による場所推薦装置の実施形態の、場所推薦サービスにおける処理動作の例を説明するためのフローチャートの一部を示す図である。
【図１７】この発明による場所推薦装置の実施形態の、場所推薦サービスにおける処理動作の要部の例を説明するためのフローチャートを示す図である。
【図１８】この発明による場所推薦装置の実施形態の要部の処理動作の例を説明するために用いる図である。
【図１９】この発明による場所推薦装置の実施形態の要部の処理動作の例を説明するために用いる図である。
【図２０】この発明による場所推薦装置の実施形態の要部の処理動作の例を説明するために用いる図である。
【図２１】この発明による場所推薦装置の実施形態の要部の処理動作の例を説明するために用いる図である。
【発明を実施するための形態】
【００２２】
以下、この発明による場所推薦装置の実施形態を、図を参照しながら説明する。以下に説明する場所推薦装置の実施形態は、通信端末装置からの要求に応じて、通信ネットワークを通じて、前記通信端末装置に、場所を推薦するコンテンツ情報を提供するようにする、Ｗｅｂサイトのサーバ装置の構成とされた場合の例である。なお、この例で推薦される場所は、日本国内を全範囲とするものとされる。
【００２３】
図１は、この発明の実施形態の場所推薦装置を含む通信システムの例の基本的な構成部分を説明するためのブロック図である。この図１の例の通信システムは、場所推薦装置の実施形態であるＷｅｂサイトのサーバ装置１と、このサーバ装置１からの場所推薦サービスを、通信ネットワーク３を通じて受けることができる通信端末装置の例としての携帯電話端末２と、コンテンツ情報作成送信装置４とからなる。通信ネットワーク３は、インターネットと携帯電話網とを含むものである。
【００２４】
コンテンツ情報作成送信装置４は、推薦する場所を紹介するためのコンテンツ情報を生成してネットワーク３を通じてサーバ装置１に提供する装置で、例えば通信ネットワーク３を通じて通信を行うことができるパーソナルコンピュータで構成される。このコンテンツ情報作成送信装置４は、図１では、１個のみを示したが、イベント主催会社、各地方公共団体の観光協会、美術館、博物館、劇場、コンサートホールなど、各種のイベントを企画して提供する各種団体が所有するもので、通信ネットワーク３には、多数個が接続される。
【００２５】
各種団体の担当者は、コンテンツ情報作成送信装置４を用いて、開催するイベントを紹介するために、当該イベントが行われる場所及び日時、開催されるイベントを紹介するための画像情報や説明のテキスト文などを含むコンテンツ情報を作成し、作成したコンテンツ情報を、ネットワーク３を通じてサーバ装置１に送信する。
【００２６】
この実施形態において、コンテンツ情報には、当該コンテンツ情報で紹介される場所に関する情報は必須事項として含まれる。また、コンテンツ情報が、位置情報で特定される場所で行われるイベントの紹介情報であるときであって、そのイベントの開催期間が定められているときには、その開催開始日時と、その終了日時の情報が含まれる。なお、コンテンツ情報により推薦される場所が、イベントに関する情報ではなく、当該場所が名所、旧跡などであって、通年で紹介可能な場所である場合には、開催期間に関する日時情報は含まれない。
【００２７】
また、この実施形態においては、コンテンツ情報を、ユーザに提示する場合には、後述するように、コンテンツ情報に含まれる画像などをサムネイル画像として表示するので、コンテンツ情報は、サムネイル画像として、提示して欲しい写真やイラストなどの画像情報を含むことが望ましい。また、場所に関する情報としては、場所名のみではなく、その場所の緯度、経度の位置情報を含むことが望ましい。しかし、場所の緯度、経度の位置情報は、場所名からサーバ装置１で検索可能であるので、コンテンツ情報に含まれていなくてもよい。
【００２８】
［通信端末装置の例としての携帯電話端末２のハードウエア構成例］
次に、この例の携帯電話端末２は、スマートホンと呼ばれる高機能携帯電話端末であり、例えば図１に示すようなハードウエア構成を備えている。すなわち、この例の携帯電話端末２は、マイクロコンピュータを備える制御部２１により、後述する各部が制御される構成を備える。
【００２９】
制御部２１には、システムバス２０を介して、通信インターフェース２２と、タッチパネルインターフェース２３と、表示制御部２４と、メモリ部２５と、現在位置検出部２６と、携帯電話機能部２７とが接続されている。通信インターフェース２２は、通信ネットワーク３に接続されている。タッチパネルインターフェース２３には、タッチパネル２９が接続されている。また、表示制御部２４には、例えばＬＣＤ（Liquid  Crystal  Display）からなる表示部２８が接続されている。
【００３０】
タッチパネル２９は、指やペン型の位置指示器によるタッチ操作入力を受け付け、そのタッチ操作入力がなされた位置情報を出力する。タッチパネル２９は、透明のもので、表示部２８の表示画面、この例ではＬＣＤ画面に重畳されて配設されている。利用者は、このタッチパネル２９を通じて、表示部２８の表示画面に表示されている表示画像を観視することができ、このタッチパネル２９に対して、あたかも表示画像に対してタッチ操作入力するように指示操作入力をすることができる。タッチパネル２９からのタッチ操作入力の位置情報は、表示画面に表示されている表示画像上の位置情報に対応している。
【００３１】
制御部２１は、タッチパネルインターフェース２３を通じてタッチパネル２９からのタッチ操作入力の位置情報を受けて、利用者によるタッチパネル２９での指示操作入力およびその操作位置に応じて設定された制御処理を判別して、その判別結果に応じた制御処理を実行する。なお、制御部２１の、タッチパネル２９からのタッチ操作入力の位置情報に応じた処理機能を実行するためのソフトウエアプログラムは、メモリ部２５に格納されている。
【００３２】
表示制御部２４は、表示部２８の表示画面に表示する表示画像データを格納するビデオＲＡＭ（Random  Access  Memory）（図示は省略）を備え、制御部２１の制御に基づき、コンテンツ情報のサムネイル画像や地図画像などの画像データ、また、テキスト文字からなる文字画像データがビデオＲＡＭに書き込まれる。表示制御部２４は、ビデオＲＡＭの画像データによる、その表示画像を表示部２８の表示画面に表示する。なお、タッチパネル２９から出力される、タッチ操作入力がなされた座標位置の情報は、表示制御部２４のビデオＲＡＭの各画素アドレスと所定の対応関係を有するものとなっている。
【００３３】
メモリ部２５は、通信ネットワーク３を介してサーバ装置１から送られてくるコンテンツ情報や地図データを、通信インターフェース２２を通じて取得して、表示制御部２４を通じて、表示部２８の表示画面に地図画像を表示するために一時保持する機能を備える。メモリ部２５は、また、後述するようにして登録されたお気に入りコンテンツ情報の識別情報や、サーバ装置１から取得した場所推薦サービスの提供を受けるためのアプリケーションプログラムを格納する。メモリ部２５は、また、ワークエリアとしても用いられるとともに、その他の各種情報が格納される。
【００３４】
現在位置検出部２６は、ＧＰＳ（Global  Positioning  System）測位機能部を備えると共に、ジャイロなどの加速度検出手段などを備え、携帯電話基地局の位置情報をも利用して、自端末２の現在位置を検出する。
【００３５】
携帯電話機能部２７は、送話器部、受話器部を含み、携帯電話網を通じた通話や電子メールなどの携帯電話の機能を実行する処理機能部である。この実施形態では、携帯電話の機能は、この発明とは直接には関係が無いので、この明細書では、その詳細な説明は省略する。
【００３６】
制御部２１は、この携帯電話端末２の全体を制御するとともに、サーバ装置１から取得した前記場所推薦サービスの提供を受けるためのアプリケーションプログラムを実行して、後述するような処理を実行する。
【００３７】
［サーバ装置１のハードウエア構成例］
サーバ装置１は、図１に示すように、場所推薦部１０と、地図情報提供部１１とを備えている。
【００３８】
地図情報提供部１１は、図示は省略するが、地図データベースを備え、地図取得要求に応じて、当該地図取得要求に含まれる位置情報と縮尺の情報とから、例えば前記位置情報の位置を中心位置とした所定の地域範囲の地図情報を地図データベースから読み出して送出する。
【００３９】
場所推薦部１０は、コンピュータを備えて構成されている制御部１０１に対して、システムバス１００を通じて、通信インターフェース１０２と、推薦場所情報収集保持部１０３と、推薦場所コンテンツ情報生成提供部１０４と、人気度情報ファイル部１０５と、カレンダー部１０６と、整列順スコア計算部１０７とが接続されて構成されている。
【００４０】
通信インターフェース１０２は、通信ネットワーク３に接続されている。カレンダー部１０６は、日時情報を提供するもので、コンテンツ情報で示されるイベントの開催期間や開催期日について、現時点（コンテンツ情報を提供するときには、コンテンツ情報の提供時点となる）と開催期間の開始日時や終了日時、開催期日との関係から、コンテンツ情報の時間的な状態、例えば開催まで「あと３日」、開催まで「あと２日」、終了まで「あと３日」、終了まで「あと２日」などを判断するために用いられる。なお、コンテンツ情報としては、イベントを案内するものに限らず、前述したように、名所、旧跡のように、期間や期日を特定しない案内も含まれている。
【００４１】
推薦場所情報収集保持部１０３は、コンテンツ情報作成送信装置４から通信ネットワーク３を通じて送られてくるコンテンツ情報を収集し、収集したコンテンツ情報のそれぞれに一意の識別情報（コンテンツＩＤ）を付与する。そして、推薦場所情報収集保持部１０３は、収集したコンテンツ情報のそれぞれについて、当該コンテンツ情報で推薦される場所の位置情報（緯度、経度など地図上の位置を特定するための位置情報）を取得すると共に、その位置情報が含まれる都道府県を判定して、都道府県コードを付与する。
【００４２】
さらに、推薦場所情報収集保持部１０３は、イベントの開催期間や開催期日が定められているコンテンツ情報について、その開催期間や開催期日についての状態フラグを設定して付与する。ただし、名所、旧跡についてのコンテンツ情報の場合には、状態フラグは付与されない。
【００４３】
そして、サーバ装置１では、図２（Ａ）に示すように、受信したコンテンツ情報に付与したコンテンツＩＤにより対応付けて、コンテンツ情報、当該コンテンツ情報で推薦される場所の位置情報、その都道府県コード、状態フラグ（状態フラグが付与されないコンテンツ情報もある）、イベントの開催期間や開催期日（開催期間や開催期日が存在しないコンテンツ情報もある）、のそれぞれが、推薦場所情報収集保持部１０３に格納されて保持される。
【００４４】
そして、この実施形態では、コンテンツ情報のイベントの開催期間や開催期日と現時点とにより定まる時間的な状態についての状態フラグとしては、図２（Ｂ）の表に示すような値「１」〜「６」の６種類の状態フラグが用意される。
【００４５】
すなわち、図２（Ｂ）の表に示すように、推薦場所情報収集保持部１０３は、いずれかのコンテンツ情報作成送信装置４から新規に収集したコンテンツ情報に値が「１」の状態フラグを付与する。この場合に、推薦場所情報収集保持部１０３は、新規に収集してから、予め定めた日時を経過、例えば１〜２日経過すると、コンテンツ情報の状態フラグを、値「１」から他の状態フラグの値に変化させる。
【００４６】
また、推薦場所情報収集保持部１０３は、収集されて保持されているコンテンツ情報のうち、現時点から開催期間の開始または終了までの期間が３日となっているコンテンツ情報に、値が「２」の状態フラグを付与する。また、推薦場所情報収集保持部１０３は、収集されて保持されているコンテンツ情報のうち、現時点から開催期間の開始または終了までの期間が２日となっているコンテンツ情報に、値が「３」の状態フラグを付与する。また、推薦場所情報収集保持部１０３は、収集されて保持されているコンテンツ情報のうち、開催期間の終了が本日（今日まで）となっているコンテンツ情報に，値が「４」の状態フラグを付与する。
【００４７】
推薦場所コンテンツ情報生成提供部１０４は、以上のように、値が「１」から「４」までの状態フラグが付与されているコンテンツ情報については、携帯電話端末２への提供時に、後述するように、コンテンツ情報のサムネイル画像に、それぞれの状態フラグに応じたリボンを重畳付加して、ユーザにその時間的な状態を報知するようにする。
【００４８】
そして、推薦場所情報収集保持部１０３は、収集されて保持されているコンテンツ情報のうち、現時点から開催期間の開始または終了までの期間が、値が「１」から「４」までの状態フラグに対して定義されている状態以外のコンテンツ情報に対して、値が「５」の状態フラグを付与する。推薦場所コンテンツ情報生成提供部１０４は、値が「５」の状態フラグが付与されているコンテンツ情報のサムネイル画像には、前述したリボンは重畳付加しない。
【００４９】
また、推薦場所情報収集保持部１０３は、収集されて保持されているコンテンツ情報のうち、前記値が「１」から値「５」まで以外の、開催期間の限定がないコンテンツ情報には、値が「６」の状態フラグを付与する。
【００５０】
推薦場所コンテンツ情報生成提供部１０４は、携帯電話端末２からのコンテンツ情報の取得要求に応じて、推薦場所情報収集保持部１０３に保持されているコンテンツ情報の中から、提供する複数個のコンテンツ情報を選定し、その選定されたコンテンツ情報の提供情報を生成する。
【００５１】
この実施形態では、コンテンツ情報は、推薦される場所の範囲である日本国内を全範囲とした時、その全範囲を分割した所定の地域範囲の単位、この例では都道府県単位でユーザに提供するようにする。所定の地域範囲としては、都道府県ではなく、関東地方、東北地方、東海地方、などのように都道府県よりも広い地域範囲であってもよいし、また、横浜市、横須賀市、鎌倉市、などのように、都道府県よりも狭い地域範囲であってもよい。
【００５２】
推薦場所コンテンツ情報生成提供部１０４は、コンテンツ情報の提供情報として、所定の地域範囲における複数個のコンテンツ情報の一覧情報と、各コンテンツ情報の詳細情報とを生成して、携帯電話端末２に提供するようにする。この実施形態では、コンテンツ情報の詳細情報には、当該コンテンツ情報により推薦される場所の地図情報が含まれる。このため、推薦場所コンテンツ情報生成提供部１０４は、推薦場所情報収集保持部１０３において、コンテンツ情報毎の場所の位置情報を用いて、地図情報提供部１１から、そのコンテンツ情報により推薦される場所の地図情報を取得し、取得した地図情報をコンテンツ情報の詳細情報に含める機能を備える。
【００５３】
また、推薦場所コンテンツ情報生成提供部１０４は、携帯電話端末２から、地図を主体としたコンテンツ情報の取得要求を受けたときには、その要求に含まれる特定の位置情報を中心とした地図画像と、その地図上で位置が表示されるコンテンツ情報で推薦される場所の位置情報とを含む提供情報を生成する。
【００５４】
そして、この実施形態では、推薦場所コンテンツ情報生成提供部１０４は、複数個のコンテンツ情報の一覧情報を提供する際においては、その複数個のコンテンツ情報について優先順位を付けるようにしている。
【００５５】
この優先順位の付与においては、この実施形態では、次のことを考慮するようにする。ユーザに、場所を推薦する場合、人気の高い場所、ユーザが注目している場所、近日中にイベントが開催開始される場所、近日中にイベントが終了してしまう場所、新たにサーバ装置１にコンテンツ情報が収集された場所、などが重要であると考えられる。すなわち、場所の人気度や注目度と、コンテンツ情報の取得時点や場所で開催されるイベントの開始時点や終了時点と、現時点（コンテンツの提供時点になる）との時間的な関係状態（状態フラグが対応）とが、場所を推薦する場合に考慮すべきものである。
【００５６】
前者の人気度や注目度は、場所を推薦するコンテンツ情報に対するユーザの関心度の高さに応じたものとなる。ユーザの関心度の高さの情報は、ユーザに提供されたコンテンツ情報の参照回数（参照履歴件数）や、お気に入り登録件数を調べることで得ることができる。後者の時間的な関係状態の情報は、状態フラグを調べることで得ることができる。
【００５７】
人気度情報ファイル部１０５は、ユーザに提供されたコンテンツ情報のそれぞれについて、ユーザにより参照された回数、お気に入り登録された件数を集計したファイルＦを生成して保持する。サーバ装置１は、当該サーバ装置１に対するクライアント端末の例としての携帯電話端末２などに場所推薦サービスを提供するためのアプリケーションプログラムを提供するが、そのアプリケーションプログラムの全部または一部を構成（提供）するＡＰＩ（Application  Program  Interface）側に、この人気度情報ファイル部１０５が設けられ、ファイルＦはサーバ装置１が備える記憶部（図示は省略）に格納される。
【００５８】
すなわち、クライアント端末の例としての携帯電話端末２のユーザは、サーバ装置１から提供されるアプリケーションプログラムを用いて、後述するようなコンテンツ情報の提供サービスを受ける。このコンテンツ情報の提供サービスには、それぞれのコンテンツ情報の参照指示操作に基づく詳細情報の取得要求や、お気に入り登録の操作に基づくお気に入りコンテンツ情報の登録処理を含む。そして、この実施形態では、ユーザが、携帯電話端末２において、コンテンツ情報の参照指示操作をしたり、お気に入り登録操作をしたりすると、その操作の件数が、人気度情報ファイル部１０５のファイルＦに蓄積されるように構成されている。
【００５９】
この実施形態では、人気度情報ファイル部１０５に保持されるファイルＦには、
（１）お気に入り登録件数（お気に入り登録者数）
（２）直近お気に入り登録件数（直近のお気に入り登録者数）
（３）参照履歴件数
の３種の件数情報が、コンテンツ情報毎（コンテンツＩＤ毎）に集計されて保持される。ここで、「（２）直近お気に入り登録件数」は、「（１）お気に入り登録件数」として集計されている件数のうち、例えば現時点から１〜２日前の間に登録されたお気に入り登録件数である。なお、「（１）お気に入り登録件数」に加えて「（２）直近お気に入り登録件数」の情報を用いるのは、同じお気に入り登録件数であっても、「（２）直近お気に入り登録件数」が多いものほど、人気度が高くなっていると考えられるからである。
【００６０】
整列順スコア計算部１０７は、複数個のコンテンツ情報の一覧情報を提供する際における優先順位を決めるスコアを算出する。このスコアは、請求項１における第３のスコアの例を構成するもので、この実施形態では、整列順スコアを称することとする。
【００６１】
この実施形態では、整列順スコア計算部１０７は、人気度情報ファイル部１０５のファイルＦの上記のコンテンツ情報毎の３種の件数の情報と、推薦場所情報収集保持部１０３においてコンテンツ情報毎に付加された状態フラグとを用いて、提供する複数個のコンテンツ情報についての整列順スコアを算出する。この整列順スコア計算部１０７における整列順スコアの計算方法については、後で詳述する。
【００６２】
なお、サーバ装置１の構成において、推薦場所情報収集保持部１０３の機能と、推薦場所コンテンツ情報生成提供部１０４の機能と、人気度情報ファイル部１０５の機能と、整列順スコア計算部１０７の機能のそれぞれは、図１の例では、ハードウエア構成のブロックとして示したが、これらは、制御部１０１が、それぞれの機能を遂行するプログラムを実行することにより、ソフトウエアの構成とすることができるものである。
【００６３】
［場所推薦サービスにおけるサーバ装置１と携帯電話端末２の処理動作］
以上説明したサーバ装置１と携帯電話端末２との間での通信ネットワーク３を通じたやり取りにより、場所推薦サービスが実行される。サーバ装置１及び携帯電話端末２のそれぞれにおける処理動作を説明する前に、この実施形態における場所推薦サービスの概要を、携帯電話端末２の表示部２８の表示画面の表示画像（図３及び図４参照）を参照しながら説明する。
【００６４】
携帯電話端末２は、事前にサーバ装置１から通信ネットワーク３を通じて、場所推薦サービスのアプリケーションプログラムを取得して、メモリ部２５に格納するようにする。なお、携帯電話端末２は、直接にサーバ装置１からアプリケーションプログラムを取得するのではなく、一旦、パーソナルコンピュータにサーバ装置１からダウンロードし、当該パーソナルコンピュータから取得するようにしてもよい。この場合に、パーソナルコンピュータは、アプリケーションプログラムを、通信ネットワークを通じて取得するのではなく、サーバ装置１の管理者から提供される記録媒体から取得するようにしてもよい。
【００６５】
携帯電話端末２において、ユーザにより場所推薦サービスのアプリケーションプログラムが選択されて起動されると、携帯電話端末２は、サーバ装置１にアクセスして通信ネットワーク３を通じて接続し、場所推薦のコンテンツ情報の取得要求を送る。この際のおける携帯電話端末２からの場所推薦のコンテンツ情報の取得要求には、予め、携帯電話端末２において、ユーザにより登録されている基本位置（例えばユーザが登録している住所地など）が含まれる。以下の携帯電話端末２の動作は、場所推薦サービスのアプリケーションプログラムによる処理動作である。
【００６６】
この場所推薦のコンテンツ情報の取得要求に対しては、サーバ装置１は、推薦場所情報収集保持部１０３に保持しているコンテンツ情報のうち、前記基本位置を含む都道府県内の場所のコンテンツ情報を読み出し、それらのコンテンツ情報に含まれる画像情報などのサムネイル画像を、携帯電話端末２に送る。この際に、サーバ装置１は、整列順スコア計算部１０７において計算されている前記基本位置を含む都道府県のコンテンツ情報の整列順スコアを、サムネイル画像の情報と共に携帯電話端末２に送る。
【００６７】
携帯電話端末２では、受け取ったコンテンツ情報のサムネイル画像を、整列順スコアに基づく順序で並べて、表示部２８の表示画面に表示する。この時の携帯電話端末２の表示部２８の表示画面２８Ｄにおける表示画像の例を、図３（Ａ）に示す。
【００６８】
すなわち、携帯電話端末２は、表示画面２８Ｄには、コンテンツ情報により推薦される場所を含む都道府県名表示３１を表示すると共に、それぞれのコンテンツ情報のサムネイル画像３２を、整列順スコアに基づいて順次に並べて表示する。表示画面２８Ｄには、提供される全てのコンテンツ情報のサムネイル画像を一度に表示することができないので、ユーザによるスクロール操作により、表示画面２８Ｄの縦方向に、サムネイル画像３２をスクロール移動させることができるようにされている。このスクロールにより、携帯電話端末２に提供された全てのコンテンツ情報のサムネイル画像を、表示画面２８Ｄに表示させることができる。
【００６９】
サムネイル画像３２のそれぞれの左肩部分には、コンテンツ情報に付加された状態フラグに応じたリボン３３が付加表示される。ただし、図２（Ｂ）に示したように、状態フラグが、値「１」〜「４」であるコンテンツ情報のサムネイル画像３２にのみ、リボン３３が付加表示され、状態フラグが「５」、「６」のサムネイル画像３２には、リボン３３は付加表示されない。リボン３３のそれぞれには、図３（Ａ）に示すように、状態フラグの値「１」〜「４」に応じて、「ｎｅｗ」、「あと３日」、「あと２日」、「今日まで」の文字が表示されている。
【００７０】
また、サムネイル画像３２のそれぞれの右肩部分には、☆マークからなるお気に入り登録ボタン３４が表示されている。この例では、このお気に入り登録ボタン３４がタッチ操作（タップ操作）されると、そのタップ操作されたお気に入り登録ボタン３４が表示されているサムネイル画像３２に対応するコンテンツ情報がお気に入り登録され、そのコンテンツ情報のコンテンツＩＤがお気に入りコンテンツ情報として携帯電話端末２のメモリ部２５に記憶される。
【００７１】
お気に入り登録されると、お気に入り登録ボタン３４の表示態様が変化して、当該お気に入り登録状態であることをユーザに報知する。例えば、お気に入り登録されると、お気に入り登録ボタン３４を構成する☆マークが、灰色から赤色に変化して、お気に入り登録状態であることをユーザに報知する。
【００７２】
そして、☆マークが赤色であるコンテンツ情報のサムネイル画像３２において、ユーザが、再度、お気に入り登録ボタン３４をタップ操作すると、そのタップ操作はコンテンツ情報をお気に入り登録から解除する操作とされ、そのコンテンツＩＤがメモリ部２５のお気に入り登録から削除される。そして、お気に入り登録ボタン３４の☆マークは赤色から灰色に戻る。
【００７３】
なお、上述したように、携帯電話端末２において、ユーザによってお気に入り登録ボタン３４がタップ操作された時には、コンテンツＩＤと、その操作日時と、当該操作がお気に入り登録操作か、あるいはお気に入り登録削除操作であるかの情報とが、ＡＰＩに伝えられ、サーバ装置１の人気度情報ファイル部１０５において、ファイルＦの直近お気に入り登録件数及びお気に入り登録件数が更新される。
【００７４】
また、ユーザがサムネイル画像３２のいずれかをタップ操作すると、そのタップ操作は、コンテンツ情報の参照操作とされ、携帯電話端末２は、コンテンツ情報の詳細情報の取得要求をサーバ装置１に送る。このコンテンツ情報の詳細情報の取得情報には、タップ操作されたコンテンツ情報のコンテンツＩＤが含まれる。
【００７５】
サーバ装置１は、このコンテンツ情報の詳細情報の取得要求に対しては、前述したように、推薦場所コンテンツ情報生成提供部１０４において、コンテンツＩＤで特定されるそのコンテンツ情報で推薦される場所で開催されるイベント等についての詳細説明文及び当該場所の地図情報を含む詳細情報を生成して、携帯電話端末２に送信する。携帯電話端末２は、このコンテンツ情報の詳細情報を受信して、表示画面２８Ｄに、サムネイル画像３２の一覧画像に代えて表示する。図３（Ｂ）に、このコンテンツ情報の詳細情報の表示画像の例を示す。
【００７６】
そして、図３（Ａ）のサムネイル画像の一覧表示において、ユーザによってサムネイル画像３２のタップ操作がなされた時には、当該タップ操作されたサムネイル画像３２のコンテンツＩＤと、当該操作が参照操作であることを示す情報とが、ＡＰＩに伝えられ、サーバ装置１の人気度情報ファイル部１０５において、ファイルＦの参照履歴件数が更新される。
【００７７】
図３（Ｂ）に示すように、コンテンツ情報の詳細情報の表示画像にも、☆マークからなるお気に入り登録ボタン３４が表示される。そして、この図３（Ｂ）のコンテンツ情報の詳細情報の表示画面においても、図３（Ａ）のサムネイル画像３２の一覧画面における場合と同様にして、お気に入り登録ボタン３４をタップ操作することで、お気に入り登録操作及びお気に入り登録削除操作をすることができる。
【００７８】
そして、このコンテンツ情報の詳細情報の表示画面においても、ユーザによってお気に入り登録ボタン３４がタップ操作された時には、コンテンツＩＤと、その操作日時と、当該操作がお気に入り登録操作か、あるいはお気に入り登録削除操作であるかの情報とが、ＡＰＩに伝えられ、サーバ装置１の人気度情報ファイル部１０５において、ファイルＦの直近お気に入り登録件数及びお気に入り登録件数が更新される。
【００７９】
このコンテンツ情報の詳細情報の表示画像においても、表示内容が多く、一画面では表示し切れないことを考慮して、表示画像を表示画面２８Ｄの縦方向にスクロールすることができるように構成されている。そして、図３（Ｂ）の表示画面には表示されていないが、コンテンツ情報の詳細情報の表示画像の一番下には、「おでかけトップに戻る」ボタンが表示されており、この「おでかけトップに戻る」ボタンがタップ操作された時には、表示画面２８Ｄは、図３（Ａ）に示すコンテンツ情報のサムネイル画像３２の一覧画面に戻る。
【００８０】
また、図３（Ａ）に示すように、コンテンツ情報のサムネイル画像３２の一覧画面の上部には、起動されているアプリケーションプログラムが、「おでかけ」をする場所を推薦する場所推薦サービス用のプログラムであることを報知する「おでかけ」の文字がサービス表示欄３５に表示されていると共に、その右横には、当該表示画面において起動操作可能な機能の起動ボタンとして、「検索」ボタン３６と、「お気に入り」ボタン３７と、「マップ」ボタン３８とが表示されている。
【００８１】
ユーザが、「お気に入り」ボタン３７をタッチ（タップ操作）すると、携帯電話端末２は、お気に入り登録されて記憶されているコンテンツ情報のコンテンツＩＤを全て読み出して、その全てのコンテンツＩＤを含めたコンテンツ情報の取得要求（お気に入りコンテンツ情報の取得要求）をサーバ装置１に送る。
【００８２】
サーバ装置１は、コンテンツＩＤにより取得要求された、お気に入り登録されている全てのコンテンツ情報のサムネイル画像を、携帯電話端末２に送る。携帯電話端末２は、受け取ったサムネイル画像の一覧を、お気に入りリストとして表示画面２８Ｄに表示する。このお気に入り登録されているコンテンツ情報のサムネイル画像３２の一覧画面の表示態様は、図示は省略するが、お気に入りリストであることの文字表示がされていることを除くと、図３（Ａ）に示したコンテンツ情報のサムネイル画像３２の一覧画面の表示態様と同様である。
【００８３】
このお気に入りリストのコンテンツ情報の一覧画面においても、ユーザが、サムネイル画像３２をタップ操作（参照操作）することで、そのタップ操作したコンテンツ情報の詳細情報をサーバ装置１から取得して、図３（Ｂ）に示したのと全く同様のコンテンツ情報の詳細情報の表示画面を得ることができる。また、お気に入りリストのコンテンツ情報の一覧画面においても、ユーザが、お気に入り登録ボタン３４の☆マークをタップ操作することで、お気に入り登録削除、また、削除したサムネイルを再度お気に入り登録することができる。
【００８４】
そして、サムネイル画像３２のタップ操作は、サーバ装置１の人気度情報ファイル部１０５により、ファイルＦの参照履歴件数に反映され、また、お気に入り登録ボタン３４の☆マークをタップする操作は、サーバ装置１の人気度情報ファイル部１０５により、ファイルＦの直近お気に入り登録件数及びお気に入り登録件数に反映される。
【００８５】
なお、図３（Ｂ）の表示画面には表示されていないが、コンテンツ情報の詳細情報の表示画像の一番下には、「おでかけトップに戻る」ボタンが表示されており、この「トップに戻る」ボタンがタッチされた時には、図３（Ａ）に示すコンテンツ情報のサムネイル画像３２の一覧画面に戻る。
【００８６】
図３（Ａ）の「おでかけのトップ画面」において、ユーザが「マップ」ボタン３８をタップ操作すると、携帯電話端末２は、ユーザにより当該携帯電話端末２に登録されている基本位置を含む地図取得要求を、サーバ装置１に送る。
【００８７】
サーバ装置１は、地図取得要求に含まれる基本位置を中心とした地図情報を地図情報提供部１１から取得して用意すると共に、当該地図情報で表示される地図範囲に含まれる場所を推薦するコンテンツ情報を、推薦場所情報収集保持部１０３に記憶されているコンテンツ情報の中から抽出する。そして、抽出したコンテンツ情報の数が多いときには、整列順スコア計算部１０７で計算された前記基本位置を含む都道府県の整列順スコアの上位の複数個、例えば１０個程度までのコンテンツ情報を選定する。そして、サーバ装置１は、用意した地図情報と、選定したコンテンツ情報で推薦される場所の位置情報とを、地図取得要求してきた携帯電話端末２に送信する。
【００８８】
携帯電話端末２は、サーバ装置１からの地図情報と、コンテンツ情報の位置情報とを受信して、表示画面２８Ｄに、例えば図３（Ｃ）に示すように、地図情報による地図画像上に、コンテンツ情報で推薦される場所の位置のそれぞれに場所指示マーク３９を重畳した表示画像を表示する。この場合に、場所指示マーク３９のうちの一つ場所指示マーク３９Ｓは、選択中マークとして他の場所指示マーク３９よりも大きく表示されていると共に、表示画面の下部の場所名表示欄３９Ｐに、その選択中の場所指示マーク３９Ｓの場所名が文字表示される。選択中の場所指示マーク３９Ｓは、ユーザがいずれかの他の場所指示マーク３９をタップすることで、変更することができ、場所名表示欄３９Ｐには、変更後の場所名が表示される。
【００８９】
そして、場所名表示欄３９Ｐは、操作ボタンとしての機能も有するように構成されており、この場所名表示欄３９Ｐがタップ操作された時には、そのタップ操作は、そのときに場所名表示欄３９Ｐに表示されている場所のコンテンツ情報の参照操作とされて、携帯電話端末２は、その場所のコンテンツ情報のコンテンツＩＤを含む詳細情報の取得要求をサーバ装置１に送信する。そして、携帯電話端末２は、サーバ装置１から、当該詳細情報の取得要求に応じて送られてくる、そのときに表示欄３９Ｐに表示されている場所のコンテンツ情報の詳細情報を受信して、表示画面２８Ｄに、図３（Ｂ）と全く同様にして、そのコンテンツ情報の詳細情報の表示画像を表示する。
【００９０】
図３（Ａ）〜図３（Ｃ）のいずれの表示画像においても、「検索」ボタン３６及び「お気に入り」ボタン３７の操作が可能である。
【００９１】
ユーザが「検索」ボタン３６をタップ操作すると、携帯電話端末２の表示画面２８Ｄの表示画像として、図４（Ａ）に示すような検索条件の入力画面が表示される。この実施形態では、検索条件としては、種別、地域、ジャンル、期間を選択することができるようにされている。種別は、例えば、おでかけスポットとしてイベントを開催されている場所のみに対象を限定するか、あるいは、そのような限定はしないか、または、お花見やいちご狩りのような特集として用意されているものを対象とするか、などが選択可能とされている。
【００９２】
地域は、この実施形態では都道府県単位で選択可能とされている。ジャンルは、「観光・レジャー」、「ショー・イベント」、「スポーツ・アウトドア」など、予め用意されている種々のカテゴリの中から選択をすることができる。期間は、「本日」、「今週の土日」、「日付を指定する」などを選択することができる、なお、地域と期間については、「指定しない」を選択することもできるようにされている。
【００９３】
図４（Ａ）に示すように、この検索条件の入力画面においては、検索条件の入力を行わずに、おでかけのトップ画面（図３（Ａ））に戻ることができるように、「おでかけトップに戻る」ボタン３０１が表示されている。
【００９４】
そして、この検索条件の入力画面には、「検索する」ボタン３０２が表示されており、この「検索する」ボタン３０２をユーザがタップ操作すると、携帯電話端末２は、設定された検索条件を含む検索要求をサーバ装置１に送る。サーバ装置１は、検索条件に合致する検索を行い、その検索結果を携帯電話端末２に送る。携帯電話端末２は、その検索結果を表示画面２８Ｄに表示する。
【００９５】
図４（Ｂ）は、携帯電話端末２の表示画面２８Ｄに表示されたサーバ装置１から送られてきた検索結果の表示画像の一例である。この図４（Ｂ）に示すように、この検索結果の表示画像には、ユーザが設定した検索条件を表示するとともに、その検索条件により検索されたコンテンツ情報のサムネイル画像３２の一覧が表示される。図４（Ｂ）の例では、地域が「長崎県」に設定されているので、当該長崎県内の場所を推薦するコンテンツ情報のサムネイル画像３２の一覧が表示されている。
【００９６】
この検索結果の表示画像は、ユーザにより設定された検索条件が最初に表示されていることを除いて、図３（Ａ）に示すコンテンツ情報のサムネイル画像３２の一覧画面の表示態様と同様である。
【００９７】
したがって、この図４（Ｂ）の検索結果の表示画像においても、ユーザが、サムネイル画像３２をタップ操作（参照操作）することで、そのタップ操作したコンテンツ情報の詳細情報をサーバ装置１から取得して、図３（Ｂ）に示したのと全く同様のコンテンツ情報の詳細情報の表示画面を得ることができる。また、図４（Ｂ）の検索結果の表示画像においても、ユーザが、お気に入り登録ボタン３４の☆マークをタップ操作することで、お気に入り登録、また、お気に入り登録削除をすることができる。
【００９８】
そして、この図４（Ｂ）の検索結果の表示画像におけるサムネイル画像３２のタップ操作は、サーバ装置１の人気度情報ファイル部１０５により、ファイルＦの参照履歴件数に反映され、また、お気に入り登録ボタン３４の☆マークをタップする操作は、サーバ装置１の人気度情報ファイル部１０５により、ファイルＦの直近お気に入り登録件数及びお気に入り登録件数に反映される。
【００９９】
また、この図４（Ｂ）の検索結果の表示画面においても、「検索」ボタン３６、「お気に入り」ボタン３７、「マップ」ボタン３８は、図３（Ａ）と全く同様に表示されて、タップ操作可能とされている。したがって、この図４（Ｂ）の検索結果の表示画面においても、「検索」ボタン３６、「お気に入り」ボタン３７、「マップ」ボタン３８のそれぞれをタップ操作して、そのタップ操作に応じた表示画面に変更することができる。
【０１００】
ただし、この図４（Ｂ）の検索結果の表示画面において、「マップ」ボタン３８がユーザによりタップ操作された時には、携帯電話端末２は、基本位置ではなく、検索条件で設定した地域の地図情報を要求する。サーバ装置１は、要求された検索条件で設定された地域の地図情報と、前述したようにして、整列順スコアに基づいて選定した、その地図情報に表示するコンテンツ情報で推薦される場所の位置情報を、携帯電話端末２に送る。携帯電話端末２では、検索条件で設定された地域の地図上に、取得した場所の位置情報に対応した位置において場所指示マーク３９及び３９Ｓを重畳した表示画像を、表示画面２８Ｄに表示する。
【０１０１】
次に、以上、携帯電話端末２の表示画面２８Ｄの表示画像を参照しながら説明した場所推薦サービスをおけるサーバ装置１及び携帯電話端末２のそれぞれにおける処理動作について説明する。
【０１０２】
［携帯電話端末２の処理動作（図５〜図９）］
前述もしたように、携帯電話端末２には、サーバ装置１から取得した場所推薦サービスを享受するためのアプリケーションプログラムがメモリ部２５に格納されている。ユーザにより、当該アプリケーションプログラムの起動指示がされることにより、図５〜図９のフローチャートに示す処理が、携帯電話端末２の制御部２１により実行される。
【０１０３】
すなわち、制御部２１は、ユーザによる場所推薦サービスの起動指示操作がなされたか否か判別する（図５のステップＳ１）。このステップＳ１で、場所推薦サービスの起動指示操作がなされていないと判別したときには、制御部２１は、その他の処理を行い（ステップＳ２）、その処理の終了後、ステップＳ１に戻る。
【０１０４】
ステップＳ１で、場所推薦サービスの起動指示操作がなされたと判別したときには、制御部２１は、サーバ装置１に、通信ネットワーク３を通じてアクセスして通信路を生成し、接続する（ステップＳ３）。そして、制御部２１は、携帯電話端末２に登録されている基本位置の位置情報を含むコンテンツ情報の取得要求をサーバ装置１に送る（ステップＳ４）。
【０１０５】
次に、制御部２１は、サーバ装置１から送られてくる基本位置を含む都道府県における場所を推薦するコンテンツ情報のサムネイル画像と、整列順スコアとを受信し（ステップＳ５）、受信した整列順スコアに基づいた優先順位により、受信したコンテンツ情報のサムネイル画像を並べた一覧リストの表示画像を生成し、その表示画像を、図３（Ａ）に示すように表示画面２８Ｄに表示する（ステップＳ６）。
【０１０６】
次に、制御部２１は、サムネイル画像のいずれかがタップ操作されたか否か判別する（ステップＳ７）。このステップＳ７で、サムネイル画像のいずれかがタップ操作されたと判別したときには、制御部２１は、タップ操作により選択されたコンテンツ情報のコンテンツＩＤを含むコンテンツ情報の詳細情報の取得要求をサーバ装置１に送る（ステップＳ８）。そして、このコンテンツ情報の詳細情報の取得要求に対してサーバ装置１から送られて来るコンテンツ情報の詳細情報を受信して、図３（Ｂ）に示したコンテンツ情報の詳細情報の表示画像を表示画面２８Ｄに表示する（ステップＳ９）。なお、このとき、ＡＰＩにより、人気度情報ファイル部１０５のファイルＦにおいて、タップ操作されたコンテンツ情報の参照履歴件数（コンテンツＩＤに対応して記憶されている）がインクリメントされる。
【０１０７】
次に、制御部２１は、表示画面２８Ｄにおいて「おでかけトップに戻る」がタップされたか否か判別する（ステップＳ１０）。このステップＳ１０で、「おでかけトップに戻る」がタップされたと判別したときには、制御部２１は、処理をステップＳ４に戻し、このステップＳ４以降の処理を繰り返す。
【０１０８】
そして、ステップＳ７で、サムネイル画像のいずれもタップ操作されてはいないと判別したときには、制御部２１は、表示画面２８Ｄでスクロール操作がなされたか否か判別する（図６のステップＳ１１）。このステップＳ１１で、スクロール操作されたと判別したときには、制御部２１は、コンテンツ情報のサムネイル画像の一覧をスクロールさせる（ステップＳ１２）。このステップＳ１２の次には、制御部２１は、処理をステップＳ１３に移行する。また、ステップＳ１１で、スクロール操作されてはいないと判別したときにも、制御部２１は、処理をステップＳ１３に移行する。
【０１０９】
このステップＳ１３においては、制御部２１は、サムネイル画像のお気に入り登録ボタン３４の☆マークがタップ操作されたか否か判別する。そして、制御部２１は、このステップＳ１３において、お気に入り登録ボタン３４の☆マークがタップ操作されたと判別したときには、お気に入り登録ボタン３４の☆マークがタップ操作されたコンテンツ情報は、お気に入り登録済みであるか否か判別する（ステップＳ１４）。
【０１１０】
このステップＳ１４で、お気に入り登録済みではないと判別したときには、制御部２１は、☆マークがタップ操作されたコンテンツ情報のコンテンツＩＤと、その時の日時情報をメモリ部２５のお気に入りコンテンツ記憶エリアに記憶して、お気に入り登録する（ステップＳ１５）。また、ステップＳ１４で、既にお気に入り登録済みであると判別したときには、制御部２１は、☆マークがタップ操作されたコンテンツ情報のコンテンツＩＤを、メモリ部２５のお気に入りコンテンツ記憶エリアから削除して、お気に入り登録を削除する（ステップＳ１６）。なお、このとき、ＡＰＩにより、人気度情報ファイル部１０５のファイルＦにおいて、タップ操作されたコンテンツ情報の直近お気に入り登録件数及びお気に入り登録件数（コンテンツＩＤに対応して記憶されている）が更新される。
【０１１１】
ステップＳ１３で、サムネイル画像のお気に入り登録ボタン３４の☆マークがタップ操作されてはいないと判別したとき、また、ステップＳ１５またはステップＳ１６の次には、制御部２１は、「マップ」ボタン３８がタップ操作されたか否か判別する（ステップＳ１７）。このステップＳ１７で、「マップ」ボタン３８がタップ操作されてはいないと判別したときには、制御部２１は、「検索」ボタン３６がタップ操作されたか否か判別する（ステップＳ１８）。そして、このステップＳ１８で、「検索」ボタン３６がタップ操作されてはいないと判別したときには、制御部２１は、「お気に入り」ボタン３７がタップ操作されたか否か判別する（ステップＳ１９）。
【０１１２】
そして、ステップＳ１９で、「お気に入り」ボタン３７がタップ操作されたと判別したときには、制御部２１は、メモリ部２５のお気に入りコンテンツ記憶エリアに記憶されているコンテンツＩＤの全てを読み出して、それらのコンテンツＩＤを含めたコンテンツ情報の取得要求をサーバ装置１に送る（ステップＳ２０）。そして、制御部２１は、その取得要求に対してサーバ装置１から送られて来るコンテンツ情報のサムネイル画像を受信して、表示画面２８Ｄに、その一覧情報を表示する（ステップＳ２１）。このステップＳ２１の後は、制御部２１は、処理を図５のステップＳ７に戻し、このステップＳ７以降の処理を繰り返す。
【０１１３】
また、ステップＳ１９で、「お気に入り」ボタン３７がタップ操作されてはいないと判別したときにも、制御部２１は、処理を図５のステップＳ７に戻し、このステップＳ７以降の処理を繰り返す。
【０１１４】
そして、図５のステップＳ１０で、「おでかけのトップに戻る」はタップ操作されてはいないと判別したときには、制御部２１は、図３（Ｂ）のコンテンツ情報の詳細情報の表示画像において表示されているお気に入り登録ボタン３４の☆マークがタップ操作されたか否か判別する（図７のステップＳ３１）。
【０１１５】
そして、制御部２１は、このステップＳ３１において、お気に入り登録ボタン３４の☆マークがタップ操作されたと判別したときには、詳細情報が表示されているコンテンツ情報は、お気に入り登録済みであるか否か判別する（ステップＳ３２）。
【０１１６】
このステップＳ３２で、お気に入り登録済みではないと判別したときには、制御部２１は、☆マークがタップ操作されたコンテンツ情報のコンテンツＩＤをメモリ部２５のお気に入りコンテンツ記憶エリアに記憶して、お気に入り登録する（ステップＳ３３）。また、ステップＳ３２で、既にお気に入り登録済みであると判別したときには、制御部２１は、☆マークがタップ操作されたコンテンツ情報のコンテンツＩＤを、メモリ部２５のお気に入りコンテンツ記憶エリアから削除して、お気に入り登録を削除する（ステップＳ３４）。なお、このとき、ＡＰＩにより、人気度情報ファイル部１０５のファイルＦにおいて、タップ操作されたコンテンツ情報の直近お気に入り登録件数及びお気に入り登録件数（コンテンツＩＤに対応して記憶されている）が更新される。
【０１１７】
ステップＳ３１で、お気に入り登録ボタン３４の☆マークがタップ操作されてはいないと判別したとき、また、ステップＳ３３またはステップＳ３４の次には、制御部２１は、処理を図６のステップＳ１８に移行させ、このステップＳ１８以降の処理を繰り返す。
【０１１８】
次に、図６のステップＳ１７において、「マップ」ボタン３８がタップ操作されたと判別したときには、制御部２１は、携帯電話端末２に登録されている基本位置の位置情報を含む地図情報の取得要求をサーバ装置１に送信する（図８のステップＳ４１）。
【０１１９】
この地図情報の取得要求に対しては、サーバ装置１からは、基本位置を中心とした地図情報と、その地図情報による地図上に表示可能である場所を推薦するコンテンツ情報のコンテンツＩＤと、その場所の位置情報とを送ってくるので、制御部２１は、それら地図情報及びコンテンツＩＤ並びに位置情報を受信する（ステップＳ４２）。そして、制御部２１は、図３（Ｃ）に例示したように、受信した地図情報による地図上に、受信したコンテンツ情報の位置情報で示される位置において場所指示マーク３９、３９Ｓをそれぞれ重畳した表示画像を生成して、表示画面２８Ｄに表示する（ステップＳ４３）。
【０１２０】
次に、制御部２１は、選択中の場所指示マーク３９Ｓに対応するコンテンツ情報の詳細情報の取得要求がされた否か、つまり、場所名表示欄３９Ｐがタップ操作されたか否か判別する（ステップＳ４４）。このステップＳ４４で、場所名表示欄３９Ｐがタップ操作されてはいないと判別したときには、制御部２１は、選択中の場所指示マーク３９Ｓとは異なる場所指示マーク３９がタップ操作されたか否か判別して、選択中の場所指示マーク３９Ｓを変更する操作がなされたか否か判別する（ステップＳ４５）。
【０１２１】
このステップＳ４５で、選択中の場所指示マーク３９Ｓを変更する操作がなされたと判別したときには、制御部２１は、タップ操作された場所指示マーク３９を大きくすると共に、それまで選択中の場所指示マーク３９Ｓとされていた場所指示マークを通常の大きさにして、選択中の場所指示マーク３９Ｓの変更処理を行う（ステップＳ４６）。このとき、場所名表示欄３９Ｐには、変更後の場所指示マーク３９Ｓに対応するコンテンツ情報で推薦される場所名が表示される。
【０１２２】
このステップＳ４６の後には、制御部２１は、処理をステップＳ４４に戻す。また、ステップＳ４５で、選択中の場所指示マーク３９Ｓを変更する操作がなされていないと判別したときにも、制御部２１は、処理をステップＳ４４に戻し、このステップＳ４４以降の処理を繰り返す。
【０１２３】
そして、ステップＳ４４で、場所名表示欄３９Ｐがタップ操作され、選択中マークに対応するコンテンツ情報の詳細情報の取得要求操作がなされたと判別したときには、制御部２１は、そのコンテンツ情報のコンテンツＩＤを含む詳細情報の取得要求を、サーバ装置１に送信する（ステップＳ４７）。そして、その取得要求に対してサーバ装置１から送られて来るコンテンツ情報の詳細情報を受信して、図３（Ｂ）に示したようなコンテンツ情報の詳細情報の表示画像を、表示画面２８Ｄに表示する（ステップＳ４８）。なお、このとき、ＡＰＩにより、人気度情報ファイル部１０５のファイルＦにおいて、場所名表示欄３９Ｐがタップ操作されたコンテンツ情報の参照履歴件数（コンテンツＩＤに対応して記憶されている）がインクリメントされる。
【０１２４】
ステップＳ４８の次には、制御部２１は、表示画面２８Ｄにおいて「おでかけトップに戻る」がタップされたか否か判別する（ステップＳ４９）。このステップＳ４９で、「おでかけトップに戻る」がタップされたと判別したときには、制御部２１は、処理を図５のステップＳ４に戻し、このステップＳ４以降の処理を繰り返す。
【０１２５】
また、ステップＳ４９で、「おでかけトップに戻る」がタップされてはいないと判別したときには、制御部２１は、処理を図６のステップＳ１８に戻し、このステップＳ１８以降の処理を繰り返す。
【０１２６】
そして、図６のステップＳ１８において、「検索」ボタン３６がタップ操作されと判別したときには、制御部２１は、図４（Ａ）に例示したように、地域、ジャンル、期間などの検索条件の設定画面を、表示画面２８Ｄに表示し、ユーザからの設定入力を受け付ける（図９のステップＳ５１）。
【０１２７】
次に、制御部２１は、図４（Ａ）の検索条件の設定画面において、「検索する」ボタン３０２がタップ操作されて検索実行指示がなされたか否か判別し（ステップＳ５２）、検索実行指示がなされてはいないと判別したときには、ステップＳ５１に戻り、検索条件の変更を受け付ける。そして、ステップＳ５２において、検索実行指示がなされたと判別したときには、制御部２１は、設定された検索条件を含めた検索要求をサーバ装置１に送信する（ステップＳ５３）。
【０１２８】
次に、制御部２１は、サーバ装置１から送られてくる、検索条件で指定された地域の都道府県内の場所を推薦するコンテンツ情報のサムネイル画像と、その整列順スコアとを受信し（ステップＳ５４）、受信した整列順スコアに基づいた優先順位により、受信したコンテンツ情報のサムネイル画像を並べた一覧リストを生成し、図４（Ｂ）に示した検索結果の表示画像として、そのサムネイル画像の一覧を表示画面２８Ｄに表示する（ステップＳ５５）。その後、制御部２１は、処理を図５のステップＳ７に戻し、このステップＳ７以降の処理を繰り返す。
【０１２９】
［サーバ装置１の処理動作（図１０〜図１６及び図１７）］
次に、サーバ装置１における処理動作を、図１０〜図１６及び図１７のフローチャートを参照しながら説明する。以下に説明するフローチャートの各ステップの処理は、サーバ装置１の制御部１０１が、予め用意されているプログラムを実行することにより実行するものである。なお、以下の説明においては、図１の推薦場所情報収集保持部１０３、推薦場所コンテンツ情報生成提供部１０４、人気度情報ファイル部１０５及び整列順スコア計算部１０７の機能のそれぞれも、制御部１０１によるソフトウエア処理機能として実行する場合として説明する。
【０１３０】
まず、サーバ装置１の制御部１０１は、場所に関するコンテンツ情報を、いずれかのコンテンツ情報作成送信装置４から受信したか否か判別する（ステップＳ１０１）。このステップＳ１０１で、場所に関するコンテンツ情報を受信したと判別したときには、制御部１０１は、受信したのはイベントに関するコンテンツ情報か否か判別する（ステップＳ１０２）。
【０１３１】
ステップＳ１０２で、受信したのはイベントに関するコンテンツ情報であると判別したときには、制御部１０１は、受信したコンテンツ情報にコンテンツＩＤを付与すると共に、イベントの期間、期日と現時点との関係に基づいて前述した状態フラグを生成して付与し、図２（Ａ）に示したように、コンテンツＩＤに対応付けて、受信したコンテンツ情報、付与した状態フラグ、当該コンテンツ情報で推薦される場所の位置情報、都道府県コード、イベントの開催期間、開催期日を、推薦場所情報収集保持部１０３に格納する（ステップＳ１０３）。
【０１３２】
なお、コンテンツ情報に付与された状態フラグは、新規に受信した時点では、値が「１」（リボン３３には「ｎｅｗ」が表示される）が付与され、その後は、カレンダー部１０６からの現時点の日時情報と、推薦場所情報収集保持部１０３に保持されているイベントの開催期間、開催期日とに基づき、適宜のタイミング例えば毎日、更新されるものである。
【０１３３】
ステップＳ１０２で、受信したのはイベントに関するコンテンツ情報ではないと判別したときには、制御部１０１は、制御部１０１は、受信したコンテンツ情報にコンテンツＩＤを付与し、このコンテンツＩＤに対応付けて、受信したコンテンツ情報、当該コンテンツ情報で推薦される場所の位置情報、都道府県コードを、推薦場所情報収集保持部１０３に格納する（ステップＳ１０４）。イベントに関する情報ではないコンテンツ情報には、イベントの開催期間、開催期日の情報は含まれないので、ステップＳ１０４では、コンテンツ情報には、状態フラグの付与はなされない。
【０１３４】
ステップＳ１０３またはステップＳ１０４の次には、制御部１０１は、コンテンツ情報の都道府県単位での整列順スコアを更新し、それを保持する（ステップＳ１０５）。その後、制御部１０１は、処理をステップＳ１０１に戻し、このステップＳ１０１以降の処理を繰り返す。
【０１３５】
また、ステップＳ１０１で、場所に関するコンテンツ情報を受信してはいないと判別したときには、制御部１０１は、通信端末装置（携帯電話端末２など：図１０〜図１６のフローチャートにおいては端末と略す）からのコンテンツ情報の要求アクセスを受信したか否か判別する（ステップＳ１０６）。このステップＳ１０６で、コンテンツ情報の要求アクセスを受信してはいないと判別したときには、制御部１０１は、処理をステップＳ１０１に戻し、このステップＳ１０１以降の処理を繰り返す。
【０１３６】
ステップＳ１０６で、コンテンツ情報の要求アクセスを受信したと判別したときには、制御部１０１は、通信端末装置から受け取った基本位置を判別し、判別した基本位置を含む都道府県内のコンテンツ情報のサムネイル画像と、その整列順スコアとを生成して用意し（ステップＳ１０７）、そのサムネイル画像と、整列順スコアとを、要求アクセスしてきた通信端末装置に送信する（ステップＳ１０８）。
【０１３７】
次に、制御部１０１は、通信端末装置でお気に入り登録操作またはお気に入り登録削除操作がなされたか否か判別する（図１１のステップＳ１１１）。このステップＳ１１１で、お気に入り登録操作またはお気に入り登録削除操作がなされたと判別したときには、制御部１０１は、ＡＰＩの人気度情報ファイル部１０５のファイルＦの直近お気に入り登録件数及びお気に入り登録件数を更新する（ステップＳ１１２）。すなわち、ステップＳ１１１で、お気に入り登録操作であると判別したときには、ステップＳ１１２では、タップ操作されたコンテンツ情報のコンテンツＩＤの直近お気に入り登録件数及びお気に入り登録件数をインクリメントし、また、ステップＳ１１１で、お気に入り登録削除操作であると判別したときには、ステップＳ１１２では、タップ操作されたコンテンツ情報のコンテンツＩＤの直近お気に入り登録件数及び/またはお気に入り登録件数をデクリメントして、ファイルＦを更新する。
【０１３８】
ステップＳ１１１で、お気に入り登録操作またはお気に入り登録削除操作がなされてはいないと判別したとき、また、ステップＳ１１２の後には、制御部１０１は、通信端末装置でサムネイル画像がタップ操作されたことに基づくコンテンツ情報の詳細情報の取得要求を受信したか否か判別する（ステップＳ１１３）。
【０１３９】
このステップＳ１１３で、コンテンツ情報の詳細情報の取得要求を受信したと判別したときには、制御部１０１は、取得要求に含まれるコンテンツＩＤで指定される要求されたコンテンツ情報の詳細情報を通信端末装置に送る（ステップＳ１１４）。そして、制御部１０１は、ＡＰＩの人気度情報ファイル部１０５のファイルＦの、タップ操作されたコンテンツ情報のコンテンツＩＤの参照履歴件数をインクリメントして更新する（ステップＳ１１５）。
【０１４０】
次に、制御部１０１は、通信端末装置から「おでかけトップに戻る」を受信したか否か判別する（ステップＳ１１６）。このステップＳ１１６で、「おでかけトップに戻る」を受信したと判別したときには、制御部１０１は、処理を図１０のステップＳ１０７に戻し、このステップＳ１０７以降の処理を繰り返す。
【０１４１】
また、ステップＳ１１６で、「おでかけトップに戻る」を受信してはいないと判別したときには、制御部１０１は、通信端末装置でお気に入り登録操作またはお気に入り登録削除操作がなされたか否か判別する（ステップＳ１１７）。このステップＳ１１７で、お気に入り登録操作またはお気に入り登録削除操作がなされたと判別したときには、制御部１０１は、ＡＰＩの人気度情報ファイル部１０５のファイルＦの直近お気に入り登録件数及びお気に入り登録件数を、ステップＳ１１２と同様にして更新する（ステップＳ１１８）。このステップＳ１１８の次には、制御部１０１は、処理をステップＳ１１６に戻し、このステップＳ１１６以降の処理を繰り返す。
【０１４２】
そして、図１１のステップＳ１１３で、コンテンツ情報の詳細情報の取得要求を受信してはいないと判別したときには、制御部１０１は、通信端末装置で「マップ」ボタン３８がタップ操作されたことに基づく地図取得要求を通信端末装置から受信したか否か判別する（図１２のステップＳ１２１）。
【０１４３】
ステップＳ１２１で、地図取得要求を通信端末装置から受信してはいないと判別したときには、制御部１０１は、通信端末装置で「お気に入り」ボタン３７がタップ操作されたことに基づくお気に入り登録されているコンテンツ情報の取得要求を通信端末装置から受信したか否か判別する（ステップＳ１２２）。このステップＳ１２２で、お気に入り登録されているコンテンツ情報の取得要求を受信してはいないと判別したときには、制御部１０１は、処理を図１１のステップＳ１１１に戻し、このステップＳ１１１以降の処理を繰り返す。
【０１４４】
また、ステップＳ１２２で、お気に入り登録されているコンテンツ情報の取得要求を受信したと判別したときには、制御部１０１は、その取得要求に含まれるコンテンツＩＤにより指定される、要求されたコンテンツ情報の全てのサムネイル画像を通信端末装置に送る（ステップＳ１２３）。
【０１４５】
次に、制御部１０１は、通信端末装置から「おでかけトップに戻る」を受信したか否か判別する（ステップＳ１２４）。このステップＳ１２４で、「おでかけトップに戻る」を受信したと判別したときには、制御部１０１は、処理を図１０のステップＳ１０７に戻し、このステップＳ１０７以降の処理を繰り返す。
【０１４６】
また、ステップＳ１２４で、「おでかけトップに戻る」を受信してはいないと判別したときには、制御部１０１は、通信端末装置でお気に入り登録操作またはお気に入り登録削除操作がなされたか否か判別する（ステップＳ１２５）。このステップＳ１２５で、お気に入り登録操作またはお気に入り登録削除操作がなされたと判別したときには、制御部１０１は、ＡＰＩの人気度情報ファイル部１０５のファイルＦの直近お気に入り登録件数及びお気に入り登録件数を、ステップＳ１１２と同様にして更新する（ステップＳ１２６）。また、ステップＳ１２５で、お気に入り登録操作またはお気に入り登録削除操作がなされたと判別したときには、制御部１０１は、処理をステップＳ１２４に戻し、このステップＳ１２４以降の処理を繰り返す。
【０１４７】
ステップＳ１２６の次には、制御部１０１は、通信端末装置でサムネイル画像がタップ操作されたことに基づくコンテンツ情報の詳細情報の取得要求を受信したか否か判別する（ステップＳ１２７）。このステップＳ１２７で、コンテンツ情報の詳細情報の取得要求を受信したと判別したときには、制御部１０１は、取得要求に含まれるコンテンツＩＤで指定される、要求されたコンテンツ情報の詳細情報を通信端末装置に送る（ステップＳ１２８）。そして、制御部１０１は、ＡＰＩの人気度情報ファイル部１０５のファイルＦの、タップ操作されたコンテンツ情報のコンテンツＩＤの参照履歴件数をインクリメントして更新する（ステップＳ１２９）。このステップＳ１２９の次には、制御部１０１は、処理をステップＳ１２４に戻し、このステップＳ１２４以降の処理を繰り返す。
【０１４８】
また、ステップＳ１２７で、コンテンツ情報の詳細情報の取得要求を受信してはいないと判別したときには、制御部１０１は、処理をステップＳ１２４に戻し、このステップＳ１２４以降の処理を繰り返す。
【０１４９】
また、図１２のステップＳ１２１で、地図取得要求を通信端末装置から受信したと判別したときには、制御部１０１は、通信端末装置から受け取った基本位置を判別し、判別した基本位置を中心とした地図情報と、当該地図情報で表示される地図範囲に場所指示マークを表示するコンテンツ情報を整列順スコアに基づいて抽出して、その抽出したコンテンツ情報のコンテンツＩＤと、推薦される場所の位置情報とを通信端末装置に送信する（図１３のステップＳ１３１）。
【０１５０】
次に、制御部１０１は、場所名表示欄３９Ｐがタップ操作されたことに基づくコンテンツ情報の詳細情報の取得要求を受信したか否か判別する（ステップＳ１３２）。このステップＳ１３２で、コンテンツ情報の詳細情報の取得要求を受信したと判別したときには、制御部１０１は、取得要求に含まれるコンテンツＩＤで指定される要求されたコンテンツ情報の詳細情報を通信端末装置に送る（ステップＳ１３３）。そして、制御部１０１は、ＡＰＩの人気度情報ファイル部１０５のファイルＦの、タップ操作されたコンテンツ情報のコンテンツＩＤの参照履歴件数をインクリメントして更新する（ステップＳ１３４）。
【０１５１】
そして、ステップＳ１３２で、コンテンツ情報の詳細情報の取得要求を受信してはいないと判別したとき、また、ステップＳ１３４の次には、制御部１０１は、通信端末装置から「おでかけトップに戻る」を受信したか否か判別する（ステップＳ１３５）。このステップＳ１３５で、「おでかけトップに戻る」を受信したと判別したときには、制御部１０１は、処理を図１０のステップＳ１０７に戻し、このステップＳ１０７以降の処理を繰り返す。
【０１５２】
また、ステップＳ１３５で、「おでかけトップに戻る」を受信してはいないと判別したときには、制御部１０１は、通信端末装置でお気に入り登録操作またはお気に入り登録削除操作がなされたか否か判別する（ステップＳ１３６）。このステップＳ１３６で、お気に入り登録操作またはお気に入り登録削除操作がなされたと判別したときには、制御部１０１は、ＡＰＩの人気度情報ファイル部１０５のファイルＦの直近お気に入り登録件数及びお気に入り登録件数を、ステップＳ１１２と同様にして更新する（ステップＳ１３７）。このステップＳ１３７の次には、制御部１０１は、処理をステップＳ１３５に戻し、このステップＳ１３５以降の処理を繰り返す。
【０１５３】
ステップＳ１３６で、お気に入り登録操作またはお気に入り登録削除操作がなされてはいないと判別したときには、制御部１０１は、処理をステップＳ１３２に戻し、このステップＳ１３２以降の処理を繰り返す。
【０１５４】
また、図１１のステップＳ１１７で、お気に入り登録操作またはお気に入り登録削除操作がなされてはいないと判別したときには、制御部１０１は、通信端末装置で場所推薦サービスの終了操作がなされたか否か判別する（図１４のステップＳ１４１）。そして、このステップＳ１４１で、終了操作がなされたと判別したときには、制御部１０１は、通信端末装置との通信路を切断する（ステップＳ１４２）。そして、整列順スコアの更新処理を行う（ステップＳ１４３）。その後、制御部１０１は、処理を図１０のステップＳ１０１に戻し、このステップＳ１０１以降の処理を繰り返す。
【０１５５】
ステップＳ１４１で、終了操作がなされてはいないと判別したときには、制御部１０１は、通信端末装置から検索要求を受信したか否か判別する（ステップＳ１４４）。このステップＳ１４４で、通信端末装置から検索要求を受信してはいないと判別したときには、制御部１０１は、処理を図１１のステップＳ１１６に戻し、このステップＳ１１６以降の処理を繰り返す。
【０１５６】
ステップＳ１４４で、通信端末装置から検索要求を受信したと判別したときには、制御部１０１は、検索要求に含まれる検索条件（地域情報、ジャンル、期間など）を判別し、検索条件に合致する検索結果のコンテンツ情報のサムネイル画像を、その整列順スコアとともに、通信端末装置に送る（ステップＳ１４５）。
【０１５７】
このステップＳ１４５の次には、制御部１０１は、通信端末装置でお気に入り登録操作またはお気に入り登録削除操作がなされたか否か判別する（図１５のステップＳ１５１）。このステップＳ１５１で、お気に入り登録操作またはお気に入り登録削除操作がなされたと判別したときには、制御部１０１は、ＡＰＩの人気度情報ファイル部１０５のファイルＦの直近お気に入り登録件数及びお気に入り登録件数を更新する（ステップＳ１５２）。
【０１５８】
ステップＳ１５１で、お気に入り登録操作またはお気に入り登録削除操作がなされてはいないと判別したとき、また、ステップＳ１５２の後には、制御部１０１は、通信端末装置でサムネイル画像がタップ操作されたことに基づくコンテンツ情報の詳細情報の取得要求を受信したか否か判別する（ステップＳ１５３）。
【０１５９】
このステップＳ１５３で、コンテンツ情報の詳細情報の取得要求を受信したと判別したときには、制御部１０１は、取得要求に含まれるコンテンツＩＤで指定される、要求されたコンテンツ情報の詳細情報を通信端末装置に送る（ステップＳ１５４）。そして、制御部１０１は、ＡＰＩの人気度情報ファイル部１０５のファイルＦの、タップ操作されたコンテンツ情報のコンテンツＩＤの参照履歴件数をインクリメントして更新する（ステップＳ１５５）。
【０１６０】
次に、制御部１０１は、通信端末装置から「おでかけトップに戻る」を受信したか否か判別する（ステップＳ１５６）。このステップＳ１５６で、「おでかけトップに戻る」を受信したと判別したときには、制御部１０１は、処理を図１０のステップＳ１０７に戻し、このステップＳ１０７以降の処理を繰り返す。
【０１６１】
また、ステップＳ１５６で、「おでかけトップに戻る」を受信してはいないと判別したときには、制御部１０１は、通信端末装置でお気に入り登録操作またはお気に入り登録削除操作がなされたか否か判別する（ステップＳ１５７）。このステップＳ１５７で、お気に入り登録操作またはお気に入り登録削除操作がなされたと判別したときには、制御部１０１は、ＡＰＩの人気度情報ファイル部１０５のファイルＦの直近お気に入り登録件数及びお気に入り登録件数を、ステップＳ１１２と同様にして更新する（ステップＳ１５８）。このステップＳ１５８の次には、制御部１０１は、処理をステップＳ１５６に戻し、このステップＳ１５６以降の処理を繰り返す。
【０１６２】
そして、ステップＳ１５３で、コンテンツ情報の詳細情報の取得要求を受信してはいないと判別したときには、制御部１０１は、通信端末装置で「マップ」ボタン３８がタップ操作されたことに基づく地図取得要求を通信端末装置から受信したか否か判別する（ステップＳ１５９）。ステップＳ１５９で、地図取得要求を通信端末装置から受信してはいないと判別したときには、制御部１０１は、処理をステップＳ１５１に戻し、このステップＳ１５１以降の処理を繰り返す。
【０１６３】
また、ステップＳ１５９で、地図取得要求を通信端末装置から受信したと判別したときには、制御部１０１は、検索条件として設定した地域の位置情報で示される位置を中心とした地図情報と、当該地図情報で表示される地図範囲に場所指示マークを表示するコンテンツ情報を、整列順スコアの上位のものから順に所定数抽出して、その抽出したコンテンツ情報のコンテンツＩＤと、推薦される場所の位置情報とを通信端末装置に送信する（図１６のステップＳ１６１）。
【０１６４】
次に、制御部１０１は、通信端末装置から、場所名表示欄３９Ｐがタップ操作されたことに基づくコンテンツ情報の詳細情報の取得要求を受信したか否か判別する（ステップＳ１６２）。このステップＳ１６２で、コンテンツ情報の詳細情報の取得要求を受信したと判別したときには、制御部１０１は、取得要求に含まれるコンテンツＩＤで指定される要求されたコンテンツ情報の詳細情報を通信端末装置に送る（ステップＳ１６３）。そして、制御部１０１は、ＡＰＩの人気度情報ファイル部１０５のファイルＦの、タップ操作されたコンテンツ情報のコンテンツＩＤの参照履歴件数をインクリメントして更新する（ステップＳ１６４）。
【０１６５】
そして、ステップＳ１６２で、コンテンツ情報の詳細情報の取得要求を受信してはいないと判別したとき、また、ステップＳ１６４の次には、制御部１０１は、通信端末装置から「おでかけトップに戻る」を受信したか否か判別する（ステップＳ１６５）。このステップＳ１６５で、「おでかけトップに戻る」を受信したと判別したときには、制御部１０１は、処理を図１０のステップＳ１０７に戻し、このステップＳ１０７以降の処理を繰り返す。
【０１６６】
また、ステップＳ１６５で、「おでかけトップに戻る」を受信してはいないと判別したときには、制御部１０１は、通信端末装置でお気に入り登録操作またはお気に入り登録削除操作がなされたか否か判別する（ステップＳ１６６）。このステップＳ１６６で、お気に入り登録操作またはお気に入り登録削除操作がなされたと判別したときには、制御部１０１は、ＡＰＩの人気度情報ファイル部１０５のファイルＦの直近お気に入り登録件数及びお気に入り登録件数を、ステップＳ１１２と同様にして更新する（ステップＳ１６７）。このステップＳ１６７の次には、制御部１０１は、処理をステップＳ１６５に戻し、このステップＳ１６５以降の処理を繰り返す。
【０１６７】
ステップＳ１６６で、お気に入り登録操作またはお気に入り登録削除操作がなされてはいないと判別したときには、制御部１０１は、処理をステップＳ１６２に戻し、このステップＳ１６２以降の処理を繰り返す。
【０１６８】
サーバ装置１における動作の処理ルーチンは、以上のようなものとなるが、実際上は、通信端末装置としての携帯電話端末２においては、ユーザは、戻るボタン（ハードウエアのボタン及び表示画面のソフトウエアのボタンの両方を含む）による戻る操作が可能であり、その戻るボタンの操作がなされたときには、その戻るボタンの操作の直前の表示画面の状態に戻る。そして、その戻った表示画面において、上述のフローチャートで説明した処理を実行する。
【０１６９】
［整列順スコアの算出処理ルーチンの説明（図１７及び図１８〜図２１］
上述したサーバ装置１におけるステップＳ１０５及びステップＳ１４３で実行される整列順スコアの算出処理の例を以下に説明する。図１７は、整列順スコア計算部１０７における整列順スコアの算出処理ルーチンの一例のフローチャートである。また、図１８〜図２１は、整列順スコアの算出処理を説明するために用いる図である。
【０１７０】
この実施形態においては、整列順スコア計算部１０７では、各コンテンツ情報Ｃｉ（ｉ＝１，２，・・・）のそれぞれについての整列順スコアＡＳｉを、人気度情報ファイル部１０５のファイルＦに格納されているお気に入り登録件数、直近お気に入り登録件数及び参照履歴件数に基づく人気度及び注目度を反映したスコア（以下、人気度スコアという）Ｓｐｉと、状態フラグの内容に基づく期間的な優先度を反映したスコア（以下優先度スコアという）Ｓｒｉとの和として算出する。この場合に、この実施形態では、優先度スコアＳｒｉは、人気度スコアＳｐｉの値に換算した値とする。なお、整列順スコアＡＳｉは、請求項１における第３のスコアの例であり、人気度スコアＳｐｉは請求項１における第１のスコアの例であり、優先度スコアＳｒｉは請求項１における第２のスコアの例である。
【０１７１】
なお、前述もしたように、図１７のフローチャートについての説明では、整列順スコア計算部１０７の機能を、制御部１０１がソフトウエア処理機能として実現した場合としている。
【０１７２】
サーバ装置１の制御部１０１は、ステップＳ１０５またはステップＳ１４３の処理が開始されると、まず、人気度情報ファイル部１０５のファイルＦに記憶されている、お気に入り登録件数、直近お気に入り登録件数及び参照履歴件数を取り込み、コンテンツ情報毎（コンテンツＩＤ毎）の人気度スコアＳｐｉの全てを更新する（図１７のステップＳ１７１）。
【０１７３】
このステップＳ１７１における人気度スコアＳｐｉは、この例では、以下のようにして算出される。すなわち、まず、ファイルＦの当該コンテンツ情報Ｃｉのお気に入り登録件数Ｎａｉを取り込み、これに、お気に入り登録件数に対して設定された重み付け係数Ｋａを乗算して、スコアＳａｉ（Ｓａｉ＝Ｎａｉ×Ｋａ）を算出する。
【０１７４】
次に、ファイルＦの当該コンテンツ情報Ｃｉの直近お気に入り登録件数Ｎｂｉを取り込み、これに、直近お気に入り登録件数に対して設定された重み付け係数Ｋｂを乗算して、スコアＳｂｉ（Ｓｂｉ＝Ｎｂｉ×Ｋｂ）を算出する。
【０１７５】
最後に、ファイルＦの当該コンテンツ情報Ｃｉの参照履歴件数Ｎｃｉを取り込み、これに、参照履歴件数に対して設定された重み付け係数Ｋｃを乗算して、スコアＳｃｉ（Ｓｃｉ＝Ｎｃｉ×Ｋｃ）を算出する。
【０１７６】
そして、コンテンツ情報Ｃｉ毎の人気度スコアＳｐｉは、上記のようにして算出した３つのスコアＳａｉ、スコアＳｂｉ、スコアＳｃｉの和として算出する。すなわち、コンテンツ情報毎の人気度スコアＳｐｉは、
Ｓｐｉ＝Ｓａｉ＋Ｓｂｉ＋Ｓｃｉ
として算出する。
【０１７７】
ステップＳ１７１では、以上の処理を、コンテンツ情報Ｃｉ（ｉ＝１，２，・・・）の全てについて行って、全てのコンテンツ情報Ｃｉ（ｉ＝１，２，・・・）の人気度スコアＳｐｉを更新する。
【０１７８】
ここで、コンテンツ情報の通信端末装置への提供側であるサーバ装置１は、ファイルＦとして記憶されている、お気に入り登録件数、直近お気に入り登録件数及び参照履歴件数の３種の件数に対して設定される上記の人気度スコアＳｐｉを算出する際に用いる重み付け係数Ｋａ，Ｋｂ，Ｋｃの値を、上記３種の件数の人気度に対する重要度合を定めて、決定する。
【０１７９】
この例では、例えば、お気に入り登録件数の重要度が参照履歴件数の重要度よりも大きく、その値を２倍以上と定め、お気に入り登録件数に対する重み付け係数Ｋａの値を、Ｋａ=５とすると共に、参照履歴件数に対する重み付け係数Ｋｃを、Ｋｃ＝２と定める。また、直近お気に入り登録件数に対する重み付け係数Ｋｂの値は、Ｋｂ＝２と定める。この重み付け係数Ｋａ、Ｋｂ、Ｋｃの値は一例であり、コンテンツ情報を提供するサーバ装置１側で、その目的に応じて適宜選定することができることは言うまでもない。
【０１８０】
場所推薦装置を構成するサーバ装置１は、このステップＳ１７１の算出結果を、図１８に示すように、各コンテンツ情報のコンテンツＩＤに対して、当該コンテンツ情報で推薦される場所が含まれる都道府県の都道府県コードと人気度スコアＳｐｉとを対応付けたテーブル情報として記憶保持する。
【０１８１】
このステップＳ１７１の次には、制御部１０１は、ステップＳ１７１で算出したコンテンツ情報Ｃｉの人気度スコアＳｐｉを都道府県単位で収集し、都道府県毎に、人気度スコアＳｐｉの最大値を検出する。そして、制御部１０１は、図１９に示す都道府県毎の人気度スコアの最大値テーブル情報の最大値Ｓｐｍａｘのそれぞれの値を、各都道府県毎に新たに検出した最大値Ｓｐｍａｘに更新する（ステップＳ１７２）。
【０１８２】
次に、以下に説明するステップＳ１７３〜ステップＳ１７９の処理を行って、各コンテンツ情報Ｃｉ（ｉ＝１，２，・・・）のそれぞれについての整列順スコアＡＳｉ（ｉ＝１，２，・・・）を算出する。
【０１８３】
まず、制御部１０１は、ｉ＝１として、コンテンツ情報Ｃｉ（ｉ＝１，２，・・・）の全てについて整列順スコアを算出するための初期化をする（ステップＳ１７３）。次に、制御部１０１は、コンテンツ情報Ｃｉの人気度スコアＳｐｉを、図１８に示したテーブル情報から取得する（ステップＳ１７４）。次に、制御部１０１は、コンテンツ情報Ｃｉで推薦される場所が含まれる都道府県の人気度スコアの最大値Ｓｐｍａｘを、図１９に示した最大値テーブル情報から取得する（ステップＳ１７５）。
【０１８４】
次に、制御部１０１は、推薦場所情報収集保持部１０３に保持されているコンテンツ情報Ｃｉの状態フラグを取得して、その状態フラグに対して設定されている重み付け係数Ｗｊを求める（ステップＳ１７６）。
【０１８５】
すなわち、この例においては、整列順スコアＡＳｉの計算をするために、コンテンツ情報Ｃｉの状態フラグのそれぞれに対して、人気度スコアの最大値Ｓｐｍａｘに対する重み付け係数Ｗｊ（ｊは状態フラグの値に対応しており、ｊ＝１〜６である）が設定されている。コンテンツ情報Ｃｉの提供側であるサーバ装置１では、コンテンツ情報Ｃｉをユーザに提供する時期的な優先度（提示優先度という）を考慮して、この重み付け係数Ｗｊを設定する。
【０１８６】
図２０に、状態フラグの値「１」〜「６」のそれぞれに対して設定されている重み付け係数Ｗ１〜Ｗ６の例を示す。この図２０の例では、状態フラグの値が「１」であって、新規にサーバ装置１に取得されてから所定日しか経過していないコンテンツ情報については、提示優先度が高く、人気度スコアの最大値Ｓｐｍａｘの例えば５０％に換算できるとして、その重み付け係数Ｗ１を、Ｗ１＝０．５とする。
【０１８７】
また、状態フラグの値が「２」〜「４」のコンテンツ情報の提示優先度は中程度であって、人気度スコアの最大値Ｓｐｍａｘの例えば１０％に換算できるとして、その重み付け係数Ｗ２，Ｗ３，Ｗ４は、Ｗ２＝Ｗ３＝Ｗ４＝０．１とする。さらに、状態フラグの値が「５」、「６」のコンテンツ情報の提示優先度は低く、この例では、考慮する必要がないとして、その重み付け係数Ｗ５，Ｗ６は、Ｗ５＝Ｗ６＝０とする。
【０１８８】
ステップＳ１７６では、制御部１０１は、コンテンツ情報Ｃｉの状態フラグの値を判別し、その判別結果から、コンテンツ情報Ｃｉの当該時点における状態フラグに対する重み付け係数Ｗｊを決定して、優先度スコアＳｒｉを、
Ｓｒｉ＝Ｓｐｍａｘ×Ｗｊ
として算出する。
【０１８９】
次に、制御部１０１は、コンテンツ情報Ｃｉの整列順スコアＡＳｉを、
ＡＳｉ＝Ｓｐｉ＋Ｓｒｉ
として算出する（ステップＳ１７７）。
【０１９０】
次に、制御部１０１は、推薦場所情報収集保持部１０３に保持されている全てのコンテンツ情報についての整列順スコアの算出処理が終了したか否か判別し（ステップＳ１７８）、終了していないと判別したときには、次のコンテンツ情報Ｃｉを指定するために、ｉ＝ｉ＋１とし（ステップＳ１７９）、その後、ステップＳ１７４に処理を戻し、このステップＳ１７４以降の処理を繰り返す。
【０１９１】
そして、ステップＳ１７８で、コンテンツ情報についての整列順スコアの算出処理が終了したと判別したときには、制御部１０１は、この整列順スコアの算出処理ルーチンを終了する。
【０１９２】
コンテンツ情報について算出された整列順スコアＡＳｉの値の例を図２１に示す。すなわち、図２１（Ａ）の例のコンテンツ情報ＣＡ（ｉ＝Ａ）においては、お気に入り登録件数が１０、直近お気に入り登録件数が５、参照履歴件数が１０００となっている。したがって、人気度スコアＳｐＡは、ＳｐＡ＝１０×５＋５×２＋１０００×２＝２０６０となる。
【０１９３】
そして、コンテンツ情報ＣＡが推薦する場所が含まれる都道府県における人気度スコアの最大値Ｓｐｍａｘが、Ｓｐｍａｘ＝４０００であるとすると、図２１（Ａ）の例のコンテンツ情報ＣＡでは、状態フラグの値が「１」であるので、優先度スコアに対する重み付け係数Ｗｊは、Ｗｊ＝Ｗ１＝０．５となり、優先度スコアＳｒＡは、ＳｒＡ＝４０００×０．５＝２０００となる。
【０１９４】
したがって、このコンテンツ情報ＣＡの整列順スコアＡＳＡは、
ＡＳＡ＝ＳｐＡ＋ＳｒＡ＝４０６０
となる。
【０１９５】
一方、図２１（Ｂ）の例のコンテンツ情報ＣＢ（ｉ＝Ｂ）においては、お気に入り登録件数は２００件、直近お気に入り登録件数は１００件、参照履歴件数は１０００件となっている。したがって、このコンテンツ情報ＣＢの人気度スコアＳｐＢは、ＳｐＢ＝２００×５＋１００×２＋１０００×２＝３２００となる。
【０１９６】
そして、コンテンツ情報ＣＢが推薦する場所が含まれる都道府県における人気度スコアの最大値Ｓｐｍａｘが、図２１（Ａ）の例と同様に、Ｓｐｍａｘ＝４０００であるとすると、図２１（Ａ）の例のコンテンツ情報ＣＢでは、状態フラグの値が「５」であるので、優先度スコアに対する重み付け係数Ｗｊは、Ｗｊ＝Ｗ５＝０となり、優先度スコアＳｒＡは、ＳｒＡ＝０となる。
【０１９７】
したがって、このコンテンツ情報ＣＡの整列順スコアＡＳＡは、
ＡＳＡ＝ＳｐＡ＋ＳｒＡ＝３２００
となる。
【０１９８】
以上のようにして、この実施形態では、所定の地域範囲毎、上述の例では都道府県毎に、コンテンツ情報の人気度に基づく優先度の情報である人気度スコアとコンテンツ情報の時間的な要因による提示の優先度の情報である提示優先度スコアとの和からなる整列順スコアに基づいた優先順位でユーザに提示するように提供する。したがって、コンテンツ情報は、人気度と時間的な要因とを加味した整列順スコアに基づいた優先順位でユーザに提示され、ユーザの要望に沿った優先順位で、場所を推薦するためのコンテンツ情報を提供することができる。
【０１９９】
そして、この実施形態によれば、提示優先度Ｓｒｉを、人気度スコアＳｐｉの最大値Ｓｐｍａｘに所定の重み付けをすることで人気度スコアの値に換算して算出すると共に、当該優先度スコアＳｒｉを人気度スコアＳｐｉの最大値から算出する際の、状態フラグの値に応じた重み付け係数Ｗｊを適宜に選定することにより、整列順スコアＡＳｉにおける人気度スコアＳｐｉに対する優先度スコアＡｒｉの重みを変えるようにしている。すなわち、重み付け係数Ｗｊを適宜選定することで、整列順スコアＡＳｉにおける人気度スコアＳｐｉと優先度スコアＳｒｉとを重みを同程度とするようにしたり、いずれか一方の重みを、他方よりも重くしたりすることができる。
【０２００】
さらに、この実施形態によれば、コンテンツ情報Ｃｉ毎の時間的な要因についての優先度スコアＳｒｉを算出する際の基準となる人気度スコアＳｐｉの最大値Ｓｐｍａｘは、コンテンツ情報Ｃｉの提供地域範囲の全範囲としての日本全域ではなく、全範囲としての日本全域を分割した所定の地域範囲であって、整列順スコアＡＳｉを算出する対象のコンテンツ情報Ｃｉで推薦される場所が含まれる所定の地域範囲、上述の例では都道府県の単位での人気度スコアＳｐｉの最大値Ｓｐｍａｘとしている。このため、所定の地域範囲（都道府県）単位で生じる人気度スコアＳｐｍａｘの最大値の違いを考慮した優先度スコアＳｒｉを算出することができ、優先順位を定めるための整列順スコアの値としては、より適正なものとすることができる。
【０２０１】
すなわち、例えばコンテンツ情報の提供地域が日本である場合において、日本全領域における人気度スコアＳｐｉの最大値を基準にすると、優先度スコアＳｒｉを算出するための人気度スコアの最大値と、都道府県などのコンテンツ情報を一纏めとしてユーザに提供する所定の地域範囲毎の人気度スコアの最大値との間の乖離度が大きくばらつく恐れがある。このようになると、ある都道府県では前記乖離度が小さいので、人気度スコアＳｐｉと優先度スコアＳｒｉとは同様の重みとなって、整列順スコアは、適切に得られるが、他のある都道府県では前記乖離度が大きいため、優先度スコアＳｒｉの値が、人気度スコアＳｐｉの値に対して格段に大きな値となったりして、人気度スコアＳｐｉの値が整列順スコアに反映されずに、ほぼ優先度スコアＳｒｉのみにより整列順スコアＡＳｉが定まってしまい、適切な整列順スコアＡＳｉが得られなくしまうおそれがある。
【０２０２】
しかし、上述の実施形態によれば、所定の地域範囲としての都道府県毎の人気度スコアの最大値を用いるので、そのような不具合を軽減することができる。
【０２０３】
そして、上述の実施形態の通信システムにおいては、通信端末装置としての携帯電話端末２は、サーバ装置１からコンテンツ情報のサムネイル画像を受け取ることで、コンテンツ情報で推薦される場所を知ることができる。その場合に、コンテンツ情報のサムネイル画像は、整列順スコアＡＳｉに従った優先順位でユーザに提供されるので、人気度が高く、また、時期的な優先度が高いコンテンツ情報のサムネイル画像は、他に優先してユーザに提供される。
【０２０４】
そして、上述の実施形態の通信システムにおいては、携帯電話端末２のユーザは、表示画面２８Ｄに表示されるサムネイル画像３２をタップ操作することで、その詳細情報を知ることができる。また、携帯電話端末２のユーザは、サムネイル画像３２に付加表示されているお気に入り登録ボタン３４をタップ操作することで、そのコンテンツ情報をお気に入り登録して、いつでも簡単に読み出して参照することができるという効果もある。
【０２０５】
また、上述の実施形態では、ユーザが通信端末装置としての携帯電話端末から地図情報を要求したときには、所定の地域の地図情報に、整列順スコアに従って選定されたコンテンツ情報で推薦される場所の位置指示マークを重畳表示した画像をユーザに提供することができ、便利である。
【０２０６】
［その他の実施形態又は変形例］
上述の実施形態では、サーバ装置１に対する通信端末装置としての携帯電話端末のアプリケーションプログラムにより、サーバ装置１から受信した整列順スコアに従った優先順位で、サムネイル画像を整列させるようにしたが、サーバ装置１側で、整列順スコアを用いて優先順位を定めたサムネイル画像を、携帯電話端末２に送るようにしてもよい。
【０２０７】
また、上述の実施形態では、携帯電話端末２のユーザのコンテンツ情報のサムネイル画像に対する参照操作の履歴や、お気に入り登録操作または登録削除操作の履歴は、ＡＰＩに設けられたファイルＦに蓄積するようにしたが、サーバ装置１と通信端末装置としての携帯電話端末２とが接続されている間においては、参照件数履歴やお気に入り登録件数を携帯電話端末２に蓄積しておき、サーバ装置１との接続を解除する際に、その蓄積した件数の情報を、サーバ装置１に送り、サーバ装置１で集計するようにしてもよい。
【０２０８】
また、上述の実施形態では、サーバ装置１では、整列順スコアの更新処理を、新たなコンテンツ情報を取得したときと、携帯電話端末２などの通信端末装置が場所推薦サービスの享受を終了してサーバ装置１との接続を解除したときに、実行するようにしたが、整列順スコアの更新処理の実行時点は、このようなタイミング時点に限られるものではない。例えば、サーバ装置１が、通信端末装置からのコンテンツ情報の取得要求を受信したときに、その取得要求に応じてコンテンツ情報のサムネイル画像の一覧を通信端末装置に送る直前に、提供する所定の地域範囲（都道府県）のコンテンツ情報についての整列順スコアの更新処理を行って、その更新処理後の整列順スコアを通信端末装置に提供するようにしてもよい。
【０２０９】
また、上述の実施形態では、第３のスコアは、コンテンツ情報のサムネイル画像を表示画面に整列させて並べる場合の整列順スコアとした場合について説明したが、第３のスコアに基づいて、提示するサムネイル画像の大きさ変更するようにすることもできる。また、サムネイル画像を提示するのではなく、それぞれのコンテンツ情報の内容を要約したテキスト情報を１行として、複数個のコンテンツ情報を、一覧表示するような場合には、第３のスコアの大きいものから順に並べるようにしてもよい。
【０２１０】
また、上述の実施形態では、場所推薦装置は、通信ネットワークシステムにおけるサーバ装置の構成としたが、表示画面を備えたスタントアローンの装置として構成することもできる。場所推薦装置をスタンドアローンの構成とした場合には、上述の実施形態で、通信端末装置の例としての携帯電話端末２に提供したアプリケーションプログラムによる機能も、場所推薦装置自身が有し、図３及び図４に示したのと同様の表示画像を、自己が備える表示画面に表示するものである。
【０２１１】
また、上述の実施形態では、第１のスコアの例としての人気度スコアＳｐｉと、第２のスコアの例としての優先度スコアＳｒｉとの和（合計）として整列順スコアＡＳｉを求めて、この整列順スコアに基づいて、優先順位を定めるようにした。しかし、整列順スコアは、第１のスコアと、第２のスコアとの和（合計）以外の演算結果を用いることも勿論できる。例えば、第１のスコアと第２のスコアとの乗算、比、減算、あるいは、それらの四則演算を用いた所定の演算式を用いるようにしてもよい。
【符号の説明】
【０２１２】
１…サーバ装置、２…通信端末装置の例としての携帯電話端末、３…通信ネットワーク、４…コンテンツ情報作成送信装置、１０３…場所推薦情報収集保持部、１０４…推薦場所コンテンツ情報生成提供部、１０５…人気度情報ファイル部、１０７…整列順スコア計算部
【図１】
2015022532.tif 000003
【図２】
2015022532.tif 000004
【図３】
2015022532.tif 000005
【図４】
2015022532.tif 000006
【図５】
2015022532.tif 000007
【図６】
2015022532.tif 000008
【図７】
2015022532.tif 000009
【図８】
2015022532.tif 000010
【図９】
2015022532.tif 000011
【図１０】
2015022532.tif 000012
【図１１】
2015022532.tif 000013
【図１２】
2015022532.tif 000014
【図１３】
2015022532.tif 000015
【図１４】
2015022532.tif 000016
【図１５】
2015022532.tif 000017
【図１６】
2015022532.tif 000018
【図１７】
2015022532.tif 000019
【図１８】
2015022532.tif 000020
【図１９】
2015022532.tif 000021
【図２０】
2015022532.tif 000022
【図２１】
2015022532.tif 000023